(57)【特許請求の範囲】
【請求項１】
原稿画像をプレビュー表示する操作画面を備え、前記操作画面に複数ページの原稿画像をプレビュー表示する機能とプレビュー表示された複数ページの原稿画像を縦方向もしくは横方向の何れかの方向にスクロール表示する機能とを有する表示制御手段を備えた画像表示操作装置において、
前記表示制御手段は、前記操作画面上で操作する位置を指示する際に、前記操作画面上に表示される複数ページの原稿画像のプレビュー画像のうち基準となる原稿画像に対する操作指示位置を検知する操作指示位置検知手段と、前記操作指示位置検知手段により検知された操作指示位置に応じて、プレビュー画像の表示方向を切換えるプレビュー表示方向切換え手段と、前記操作指示位置検知手段により検知された操作指示位置に応じて、プレビュー画像のスクロール方向を切換えるスクロール方向切換え手段と、前記操作指示位置検知手段により検知された操作指示位置に新たな原稿画像を挿入する原稿画像挿入手段と、を備え、
前記プレビュー表示方向切換え手段は、前記基準となる原稿画像と前記原稿画像挿入手段により挿入された新たな原稿画像とが並ぶ方向に沿ってプレビュー表示方向を設定する機能を備え、
前記スクロール方向切換え手段は、前記基準となる原稿画像と前記原稿画像挿入手段により挿入された新たな原稿画像とが並ぶ方向に沿ってスクロール方向を設定する機能を備えることを特徴とする画像表示操作装置。
【請求項２】
原稿画像をプレビュー表示する操作画面を備え、前記操作画面に複数ページの原稿画像をプレビュー表示する機能とプレビュー表示された複数ページの原稿画像を縦方向もしくは横方向の何れかの方向にスクロール表示する機能とを有する表示制御手段を備えた画像表示操作装置において、
前記表示制御手段は、前記操作画面上で操作する位置を指示する際に、前記操作画面上に表示される複数ページの原稿画像のプレビュー画像のうち基準となる原稿画像に対する操作指示位置を検知する操作指示位置検知手段と、前記操作指示位置検知手段により検知された操作指示位置に応じて、プレビュー画像の表示方向を切換えるプレビュー表示方向切換え手段と、前記操作指示位置検知手段により検知された操作指示位置に応じて、プレビュー画像のスクロール方向を切換えるスクロール方向切換え手段と、前記操作指示位置検知手段により検知された操作指示位置に表示される複数ページの原稿画像の中から選択された原稿画像を移動する原稿画像移動手段と、を備え、
前記プレビュー表示方向切換え手段は、前記基準となる原稿画像と前記原稿画像移動手段により移動された原稿画像とが並ぶ方向に沿ってプレビュー表示方向を設定する機能を備え、
前記スクロール方向切換え手段は、前記基準となる原稿画像と前記原稿画像移動手段により移動された原稿画像とが並ぶ方向に沿ってスクロール方向を設定する機能を備えることを特徴とする画像表示操作装置。
【請求項３】
前記表示制御手段は、仕上げ処理を設定する仕上げ処理設定手段と、原稿画像の仕上がり状態をプレビュー表示する仕上がり状態表示手段と、前記操作指示位置検知手段により検知された操作指示位置に応じて、仕上げ処理において設定された綴じ位置を変更する仕上げ処理設定変更手段と、を備えることを特徴とする請求項１または２に記載の画像表示操作装置。
【請求項４】
前記仕上げ処理設定変更手段は、前記操作指示位置検知手段により検知された新たな原稿画像を挿入する操作指示位置に応じて、仕上げ処理において設定された綴じ位置を変更する機能を備えることを特徴とする請求項３に記載の画像表示操作装置。
【請求項５】
前記仕上げ処理設定変更手段は、前記操作指示位置検知手段により検知された表示される複数ページの原稿画像の中から選択された原稿画像を移動する操作指示位置に応じて、仕上げ処理において設定された綴じ位置を変更する機能を備えることを特徴とする請求項３に記載の画像表示操作装置。
【請求項６】
原稿画像をプレビュー表示する操作画面を備え、前記操作画面に複数ページの原稿画像をプレビュー表示する機能とプレビュー表示された複数ページの原稿画像を縦方向もしくは横方向の何れかの方向にスクロール表示する機能とを有する表示制御手段を具備する画像表示操作装置を備えた画像形成装置において、
前記画像表示操作装置として、請求項１から５のうちの何れか一項に記載の画像表示操作装置を備えたことを特徴とする画像形成装置。
【発明の詳細な説明】
【技術分野】
【０００１】
本発明は、複写機やプリンタ、ファクシミリ等の電子写真方式の画像形成装置に用いられる画像表示操作装置及びそれを備えた画像形成装置に係り、特に、複数ページの原稿画像をプレビュー表示可能な画像表示操作装置及びそれを備えた画像形成装置に関する。
【背景技術】
【０００２】
従来、文章作成ソフトを用いて文章を作成する場合、「印刷レイアウト」や「閲覧レイアウト」を指定すると、例えば、「綴じ代」の設定や、「印刷の綴じ位置」とは関係なく、常にページを縦に並べた形で文章画像が表示されるものがある。
【０００３】
また、その他のソフトを用いて画像データを表示する場合、ページ表示方法として「見開きページ」を指定すると、見開きレイアウトで２ページ分横に並べたものを縦に並べた形で表示されるものがある。
【０００４】
従来技術として、スキャンした原稿画像データを集約コピーする場合、タッチパネルに画像データを表示し、区切りページを指定する際に、表示される原稿画像データを横並び表示（横スクロール）で指定する技術が開示されている（特許文献１を参照）。
【先行技術文献】
【特許文献】
【０００５】
【特許文献１】特開２００６−１６６２２０号公報
【発明の概要】
【発明が解決しようとする課題】
【０００６】
しかしながら、上述した従来技術によると、複数の原稿ページが並べて配置されたプレビュー表示において、特定の原稿ページを移動したり、新たな原稿ページを挿入したりすることは可能であるが、原稿ページの移動や挿入に伴い、プレビューの表示方向やスクロール方向を変更することはできなかった。
【０００７】
本発明は、上記従来の課題に鑑みてなされたものであり、印刷プレビュー画像を表示する際に、原稿ページの移動や挿入に伴い、プレビューの表示方向やスクロール方向を容易に変更することができる画像表示操作装置及びそれを備えた画像形成装置を提供することを目的とする。
【課題を解決するための手段】
【０００８】
本発明は、原稿画像をプレビュー表示する操作画面を備え、前記操作画面に複数ページの原稿画像をプレビュー表示する機能とプレビュー表示された複数ページの原稿画像を縦方向もしくは横方向の何れかの方向にスクロール表示する機能とを有する表示制御手段を備えた画像表示操作装置において、前記表示制御手段の構成として、前記操作画面上で操作する位置を指示する際に、前記操作画面上に表示される複数ページの原稿画像のプレビュー画像のうち基準となる原稿画像に対する操作指示位置を検知する操作指示位置検知手段と、前記操作指示位置検知手段により検知された操作指示位置に応じて、プレビュー画像の表示方向（原稿画像の配列方向）を切換えるプレビュー表示方向切換え手段と、前記操作指示位置検知手段により検知された操作指示位置に応じて、プレビュー画像のスクロール方向を切換えるスクロール方向切換え手段と、前記操作指示位置検知手段により検知された操作指示位置に新たな原稿画像を挿入する原稿画像挿入手段と、を備え、前記プレビュー表示方向切換え手段の構成として、前記基準となる原稿画像と前記原稿画像挿入手段により挿入された新たな原稿画像とが並ぶ方向に沿ってプレビュー表示方向を設定する機能を備え、前記スクロール方向切換え手段として、前記基準となる原稿画像と前記原稿画像挿入手段により挿入された新たな原稿画像とが並ぶ方向に沿ってスクロール方向を設定する機能を備えることを特徴とするものである。
【００１０】
また、本発明は、原稿画像をプレビュー表示する操作画面を備え、前記操作画面に複数ページの原稿画像をプレビュー表示する機能とプレビュー表示された複数ページの原稿画像を縦方向もしくは横方向の何れかの方向にスクロール表示する機能とを有する表示制御手段を備えた画像表示操作装置において、前記表示制御手段の構成として、前記操作画面上で操作する位置を指示する際に、前記操作画面上に表示される複数ページの原稿画像のプレビュー画像のうち基準となる原稿画像に対する操作指示位置を検知する操作指示位置検知手段と、前記操作指示位置検知手段により検知された操作指示位置に応じて、プレビュー画像の表示方向を切換えるプレビュー表示方向切換え手段と、前記操作指示位置検知手段により検知された操作指示位置に応じて、プレビュー画像のスクロール方向を切換えるスクロール方向切換え手段と、前記操作指示位置検知手段により検知された操作指示位置に表示される複数ページの原稿画像の中から選択された原稿画像を移動する原稿画像移動手段と、を備え、前記プレビュー表示方向切換え手段の構成として、前記基準となる原稿画像と前記原稿画像移動手段により移動された原稿画像とが並ぶ方向に沿ってプレビュー表示方向を設定する機能を備え、前記スクロール方向切換え手段の構成として、前記基準となる原稿画像と前記原稿画像移動手段により移動された原稿画像とが並ぶ方向に沿ってスクロール方向を設定する機能を備えることを特徴とするものである。
【００１４】
また、本発明は、前記表示制御手段の構成として、仕上げ処理（例えば、ステープル，パンチ，ページ振り等の処理）を設定する仕上げ処理設定手段と、原稿画像の仕上がり状態、すなわち印刷後の後処理が終了した状態をプレビュー表示する仕上がり状態表示手段と、前記操作指示位置検知手段により検知された操作指示位置に応じて、仕上げ処理において設定された綴じ位置を変更する仕上げ処理設定変更手段と、を備えることが好ましい。
【００１５】
また、本発明は、仕上げ処理設定変更手段の構成として、前記操作指示位置検知手段により検知された新たな原稿画像を挿入する操作指示位置に応じて、仕上げ処理において設定された綴じ位置を変更する機能を備えることが好ましい。
【００１６】
また、本発明は、前記仕上げ処理設定変更手段の構成として、前記操作指示位置検知手段により検知された表示される複数ページの原稿画像の中から選択された原稿画像を移動する操作指示位置に応じて、仕上げ処理において設定された綴じ位置を変更する機能を備えることが好ましい。
【００１８】
また、本発明は、原稿画像をプレビュー表示する操作画面を備え、前記操作画面に複数ページの原稿画像をプレビュー表示する機能とプレビュー表示された複数ページの原稿画像を縦方向もしくは横方向の何れかの方向にスクロール表示する機能とを有する表示制御手段を具備する画像表示操作装置を備えた画像形成装置において、前記画像表示操作装置として、請求項１から１０のうちの何れか一項に記載の画像表示操作装置を備えたことを特徴とするものである。
【発明の効果】
【００１９】
本発明によれば、原稿画像をプレビュー表示する操作画面を備え、前記操作画面に複数ページの原稿画像をプレビュー表示する機能とプレビュー表示された複数ページの原稿画像を縦方向もしくは横方向の何れかの方向にスクロール表示する機能とを有する表示制御手段を備えた画像表示操作装置において、前記表示制御手段の構成として、前記操作画面上で操作する位置を指示する際に、前記操作画面上に表示される複数ページの原稿画像のプレビュー画像のうち基準となる原稿画像に対する操作指示位置を検知する操作指示位置検知手段と、前記操作指示位置検知手段により検知された操作指示位置に応じて、プレビュー画像の表示方向（原稿画像の配列方向）を切換えるプレビュー表示方向切換え手段と、前記操作指示位置検知手段により検知された操作指示位置に応じて、プレビュー画像のスクロール方向を切換えるスクロール方向切換え手段と、前記操作指示位置検知手段により検知された操作指示位置に新たな原稿画像を挿入する原稿画像挿入手段とを備え、前記プレビュー表示方向切換え手段の構成として、前記基準となる原稿画像と前記原稿画像挿入手段により挿入された新たな原稿画像とが並ぶ方向に沿ってプレビュー表示方向を設定する機能を備え、前記スクロール方向切換え手段として、前記基準となる原稿画像と前記原稿画像挿入手段により挿入された新たな原稿画像とが並ぶ方向に沿ってスクロール方向を設定する機能を備えることで、プレビュー画像を確認して編集する際に、原稿ページを移動したり、新たに原稿ページを挿入したりするときに、ユーザが指示する位置に応じて、プレビュー画像の表示方向やスクロール方向を容易に変更することができる。また、ユーザが指示する位置に応じて、プレビュー画像の表示方向やスクロール方向を容易に変更することができる。
【００２１】
また、本発明によれば、原稿画像をプレビュー表示する操作画面を備え、前記操作画面に複数ページの原稿画像をプレビュー表示する機能とプレビュー表示された複数ページの原稿画像を縦方向もしくは横方向の何れかの方向にスクロール表示する機能とを有する表示制御手段を備えた画像表示操作装置において、前記表示制御手段の構成として、前記操作画面上で操作する位置を指示する際に、前記操作画面上に表示される複数ページの原稿画像のプレビュー画像のうち基準となる原稿画像に対する操作指示位置を検知する操作指示位置検知手段と、前記操作指示位置検知手段により検知された操作指示位置に応じて、プレビュー画像の表示方向を切換えるプレビュー表示方向切換え手段と、前記操作指示位置検知手段により検知された操作指示位置に応じて、プレビュー画像のスクロール方向を切換えるスクロール方向切換え手段と、前記操作指示位置検知手段により検知された操作指示位置に表示される複数ページの原稿画像の中から選択された原稿画像を移動する原稿画像移動手段と、を備え、前記プレビュー表示方向切換え手段の構成として、前記基準となる原稿画像と前記原稿画像移動手段により移動された原稿画像とが並ぶ方向に沿ってプレビュー表示方向を設定する機能を備え、前記スクロール方向切換え手段の構成として、前記基準となる原稿画像と前記原稿画像移動手段により移動された原稿画像とが並ぶ方向に沿ってスクロール方向を設定する機能を備えることで、ユーザが指示する位置に応じて、プレビュー画像の表示方向やスクロール方向を容易に変更することができる。
【００２５】
また、本発明によれば、前記表示制御手段の構成として、仕上げ処理（例えば、ステープル，パンチ，ページ振り等の処理）を設定する仕上げ処理設定手段と、原稿画像の仕上がり状態、すなわち印刷後の後処理が終了した状態をプレビュー表示する仕上がり状態表示手段と、前記操作指示位置検知手段により検知された操作指示位置に応じて、仕上げ処理において設定された綴じ位置を変更する仕上げ処理設定変更手段と、を備えることで、原稿の仕上がり状態を確認する際に、ユーザが指示する位置に応じて原稿ページの移動や挿入を行なうときに、原稿の仕上がり状態のプレビューの表示方向やスクロール方向を容易に変更することができるとともに、ステープル，パンチ，ページ振り等の仕上がり状態の設定を容易に変更することができる。
【００２６】
また、本発明によれば、仕上げ処理設定変更手段の構成として、前記操作指示位置検知手段により検知された新たな原稿画像を挿入する操作指示位置に応じて、仕上げ処理において設定された綴じ位置を変更する機能を備えることで、ユーザが指示する位置に応じて、プレビュー画像の表示方向やスクロール方向を容易に変更することができるとともに、ステープル，パンチ，ページ振り等の仕上げ処理の設定を容易に変更することができる。
【００２７】
また、本発明によれば、前記仕上げ処理設定変更手段の構成として、前記操作指示位置検知手段により検知された表示される複数ページの原稿画像の中から選択された原稿画像を移動する操作指示位置に応じて、仕上げ処理において設定された綴じ位置を変更する機能を備えることで、ユーザが指示する位置に応じて、プレビュー画像の表示方向やスクロール方向を容易に変更することができるとともに、綴じ位置を容易に変更することができる。
【００２９】
また、本発明によれば、原稿画像をプレビュー表示する操作画面を備え、前記操作画面に複数ページの原稿画像をプレビュー表示する機能とプレビュー表示された複数ページの原稿画像を縦方向もしくは横方向の何れかの方向にスクロール表示する機能とを有する表示制御手段を具備する画像表示操作装置を備えた画像形成装置において、前記画像表示操作装置として、請求項１から１０のうちの何れか一項に記載の画像表示操作装置を備えたことで、プレビュー画像を確認して編集する際に、原稿ページを移動したり、新たに原稿ページを挿入したりするときに、ユーザが指示する位置に応じて、プレビュー画像の表示方向やスクロール方向を容易に変更することができる。
【図面の簡単な説明】
【００３０】
【図１】本発明の実施形態に係る画像形成装置の構成を示す斜視図である。
【図２】前記画像形成装置の内部構成を簡略化して示す説明図である。
【図３】前記画像形成装置のハードウェア構成を示す機能ブロック図である。
【図４】前記画像形成装置のタッチパネルディスプレイの表示領域を示す説明図である。
【図５】前記タッチパネルディスプレイに表示される画面例を示す説明図である。
【図６】前記タッチパネルディスプレイに表示されるプレビュー領域を変更した状態を示す説明図である。
【図７】前記タッチパネルディスプレイの構成を示すブロック図である。
【図８】前記タッチパネルディスプレイに表示される原稿画像の挿入及び移動に伴う原稿画像の表示方向の切換え操作の手順を示すフローチャートである。
【図９】本実施形態の実施例１の画像形成装置におけるタッチパネルディスプレイ上に原稿画像をプレビュー表示した一例を示す説明図である。
【図１０】（ａ）は前記タッチパネルディスプレイ上のプレビュー表示において原稿画像を横方向に配列して表示した状態を示す説明図、（ｂ）は前記プレビュー表示において基準となる原稿画像の横位置に新たな原稿画像を挿入したときのプレビュー表示を示す説明図である。
【図１１】（ａ）は本実施形態の実施例２の画像形成装置におけるタッチパネルディスプレイ上のプレビュー表示において原稿画像を横方向に配列して表示した状態を示す説明図、（ｂ）は前記プレビュー表示において基準となる原稿画像の横位置に新たな原稿画像を挿入したときのプレビュー表示を示す説明図である。
【図１２】（ａ）は本実施形態の実施例３の画像形成装置におけるタッチパネルディスプレイ上のプレビュー表示において原稿画像を横方向に配列して表示した状態を示す説明図、（ｂ）は前記プレビュー表示において基準となる原稿画像の縦位置に新たな原稿画像を挿入したときのプレビュー表示を示す説明図である。
【図１３】（ａ）は本実施形態の実施例４の画像形成装置におけるタッチパネルディスプレイ上のプレビュー表示において原稿画像を横方向に配列して表示した状態を示す説明図、（ｂ）は前記プレビュー表示において基準となる原稿画像の縦位置に新たな原稿画像を挿入したときのプレビュー表示を示す説明図である。
【図１４】（ａ）は本実施形態の実施例５の画像形成装置におけるタッチパネルディスプレイ上のプレビュー表示において原稿画像を縦方向に配列して表示した状態を示す説明図、（ｂ）は前記プレビュー表示において基準となる原稿画像の縦位置に新たな原稿画像を挿入したときのプレビュー表示を示す説明図である。
【図１５】（ａ）は本実施形態の実施例６の画像形成装置におけるタッチパネルディスプレイ上のプレビュー表示において原稿画像を縦方向に配列して表示した状態を示す説明図、（ｂ）は前記プレビュー表示において基準となる原稿画像の縦位置に新たな原稿画像を挿入したときのプレビュー表示を示す説明図である。
【図１６】（ａ）は本実施形態の実施例７の画像形成装置におけるタッチパネルディスプレイ上のプレビュー表示において原稿画像を縦方向に配列して表示した状態を示す説明図、（ｂ）は前記プレビュー表示において基準となる原稿画像の横位置に新たな原稿画像を挿入したときのプレビュー表示を示す説明図である。
【図１７】（ａ）は本実施形態の実施例８の画像形成装置におけるタッチパネルディスプレイ上のプレビュー表示において原稿画像を縦方向に配列して表示した状態を示す説明図、（ｂ）は前記プレビュー表示において基準となる原稿画像の横位置に新たな原稿画像を挿入したときのプレビュー表示を示す説明図である。
【図１８】（ａ）は本実施形態の実施例９の画像形成装置におけるタッチパネルディスプレイ上のプレビュー表示において原稿画像を横方向に配列して表示した状態を示す説明図、（ｂ）は前記プレビュー表示において基準となる原稿画像の横位置に選択された原稿画像を移動する状態を示す説明図、（ｃ）は前記プレビュー表示において基準となる原稿画像の横位置に選択された原稿画像を移動したときのプレビュー表示を示す説明図である。
【図１９】（ａ）は本実施形態の実施例１０の画像形成装置におけるタッチパネルディスプレイ上のプレビュー表示において原稿画像を横方向に配列して表示した状態を示す説明図、（ｂ）は前記プレビュー表示において基準となる原稿画像の横位置に選択された原稿画像を移動する状態を示す説明図、（ｃ）は前記プレビュー表示において基準となる原稿画像の横位置に選択された原稿画像を移動したときのプレビュー表示を示す説明図である。
【図２０】（ａ）は本実施形態の実施例１１の画像形成装置におけるタッチパネルディスプレイ上のプレビュー表示において原稿画像を横方向に配列して表示した状態を示す説明図、（ｂ）は前記プレビュー表示において基準となる原稿画像の縦位置に選択された原稿画像を移動する状態を示す説明図、（ｃ）は前記プレビュー表示において基準となる原稿画像の縦位置に選択された原稿画像を移動したときのプレビュー表示を示す説明図である。
【図２１】（ａ）は本実施形態の実施例１２の画像形成装置におけるタッチパネルディスプレイ上のプレビュー表示において原稿画像を横方向に配列して表示した状態を示す説明図、（ｂ）は前記プレビュー表示において基準となる原稿画像の縦位置に選択された原稿画像を移動する状態を示す説明図、（ｃ）は前記プレビュー表示において基準となる原稿画像の縦位置に選択された原稿画像を移動したときのプレビュー表示を示す説明図である。
【図２２】（ａ）は本実施形態の実施例１３の画像形成装置におけるタッチパネルディスプレイ上のプレビュー表示においてステープルの位置が上部に設定された原稿画像を縦方向に配列して表示したプレビュー表示を示す説明図、（ｂ）は前記タッチパネルディスプレイ上のプレビュー表示を右側から左側への横方向の配列に切換えたときのプレビュー表示を示す説明図、（ｃ）は前記タッチパネルディスプレイ上のプレビュー表示を左側から右側への横方向の配列に切換えたときのプレビュー表示を示す説明図である。
【発明を実施するための形態】
【００３１】
以下、本発明の第実施形態について図面を参照して説明する。
図１は発明を実施する形態の一例であって、本発明の実施形態に係る画像表示操作装置が用いられた画像形成装置の全体の構成を示す説明図、図２は前記画像形成装置の内部構成を簡略化して示す説明図、図３は前記画像形成装置のハードウェア構成を示す機能ブロック図、図４は前記画像形成装置のタッチパネルディスプレイの表示領域を示す説明図、図５は前記タッチパネルディスプレイに表示される画面例を示す説明図、図６は前記タッチパネルディスプレイに表示されるプレビュー領域を変更した状態を示す説明図である。
【００３２】
本発明の実施形態は、図１に示すように、表示パネル（操作画面）１３２に複数ページの原稿画像をプレビュー表示可能なタッチパネルディスプレイ（表示制御手段）１３０を有する操作ユニット（画像表示操作装置）１２０を備えた画像形成装置１００において、操作ユニット１２０として、本発明に係る特徴的な画像表示操作装置の構成を採用したものである。
【００３３】
なお、表示パネル（操作画面）１３２に表示される複数原稿画像は、画像形成装置１００の原稿読取部などから取り込まれた原稿画像の形態をプレビュー表示するものとして説明するが、画像形成部から記録用紙上に形成される画像の出力形態を仕上がりプレビュー画像として表示したものであってもよい。
【００３４】
本実施形態に係る画像形成装置１００は、画像処理装置の１種である画像形成装置である。本発明に係る画像表示操作装置の適用は、このような画像形成装置以外の画像処理装置または電子機器であっても構わない。
【００３５】
また、本実施形態に係る画像形成装置１００は、複数の動作モードを備え、その動作モードが切換えられて表示機器の画面が切換えられた場合において、ユーザが画面構成を覚えていなくても、ユーザが求める情報をユーザが容易に取得することができるように、情報を表示する表示機器を備えた装置であればよい。
【００３６】
なお、本実施形態に係る画像形成装置１００は、ジェスチャー操作方法とジェスチャー操作によらないタッチ操作方法とにより操作が可能なタッチパネルディスプレイ（操作画面）を備えるとするが、タッチ操作のみが可能なタッチパネルディスプレイを備える装置であってもよく、さらには、操作が不可能な表示のみ可能な表示パネルおよび操作用のボタンを備える装置であってもよい。
【００３７】
この画像形成装置１００は、電子写真方式により記録用紙に画像を形成する。
また、画像形成装置１００は、動作モードとして、コピーモード、ファクシミリモード（ＦＡＸモード）、ドキュメントファイリングモード（スキャンした画像を画像形成装置内部の記憶装置に記憶するモード）およびメールモード（スキャンした画像を電子メールに添付する形式で送信するモード）を備える。なお、この画像形成装置１００は、さらにネットワークプリンタモードを備えていても構わない。
【００３８】
また、本発明はこれに限定されず、動作モード毎に画面が切換わる画像形成装置であれば構わない。また、印刷方式は電子写真方式に限定されない。
【００３９】
まず、本発明の実施形態に係る画像形成装置１００について説明する。
本実施形態に係る画像形成装置１００は、原稿読取部１０２、画像形成部１０４、給紙部１０６、排紙処理装置１０８、および、操作ユニット１２０を備える。
操作ユニット１２０は、タッチパネルディスプレイ１３０と表示操作部１４０とで構成される。タッチパネルディスプレイ１３０は、液晶パネル等で構成された表示パネル１３２と、表示パネル１３２に重ねて配置されたユーザの指で押圧された位置を検出するタッチパネル（タッチ操作認識手段）１３４とで構成される。表示操作部１４０は、表示灯１４２と、電源キー１４４と、省エネルギーキー（以下「省エネキー」と記載）１４６と、動作モードを選択するホーム画面ヘタッチパネルディスプレイ１３０の表示画面を戻すためのホームキー１４８とで構成される。
【００４０】
このように画像形成装置１００は、主たる操作デバイスとしてタッチパネルディスプレイ１３０を備えるとともに、ハードウェアキーおよび表示灯により構成される表示操作部１４０を備える。表示操作部１４０のキー（電源キー１４４、省エネキー１４６、ホームキー１４８）は、タッチパネルディスプレイ１３０により構成されるソフトウェアボタンと対比して、ハードウェアボタンとして構成される点が特徴である。
【００４１】
なお、画像形成装置１００は、このような構成の表示操作部１４０を備えるものに限定されず、タッチパネルディスプレイ１３０のみを備えるものであってもよい。タッチパネルディスプレイ１３０に表示されたホーム画面においてユーザが動作モードを選択すると、選択された動作モードにおける初期画面に切換わるものであれば構わない。このような画像形成装置１００の動作モードについて説明する。
【００４２】
（コピーモード）
以下において、画像形成装置１００のコピーモードでの動作について説明する。
このコピーモードにおいては、主として、原稿読取部（以下、「スキャナ部」と称する。）１０２および画像形成部１０４が動作する。
【００４３】
画像形成装置１００においては、原稿載置台に置かれた原稿が原稿読取部１０２により画像データとして読取られ、読取られた画像データが図３に示すマイクロコンビュータ等から構成されるＣＰＵ３００に入力され、ここで画像データに各種の画像処理が施され、この画像データが画像形成部１０４へと出力される。
【００４４】
画像形成部１０４は、図２に示すように、画像データによって示される原稿の画像を記録媒体（多くの場合、記録用紙）に印刷するものであって、感光体ドラム２２２、帯電装置２２４、レーザスキャンユニット（以下、「ＬＳＵ」と称する。）２２６、現像装置２２８、転写装置２３０、クリーニング装置２３２、定着装置２３４、および図示しない除電装置等を備えている。
【００４５】
画像形成部１０４には、主搬送路２３６および反転搬送路２３８が設けられており、給紙部１０６から給紙されてきた記録用紙が主搬送路２３６に沿って搬送される。給紙部１０６は、用紙カセット２４０に収納された記録用紙、または手差トレイ２４２に載置された記録用紙を１枚ずつ引出して記録用紙を画像形成部１０４の主搬送路２３６へと送り出す。
【００４６】
画像形成部１０４の主搬送路２３６に沿って記録用紙が搬送されている途中で、記録用紙が感光体ドラム２２２と転写装置２３０との間を通過し、さらに定着装置２３４を通過して、記録用紙に対する印刷が行なわれる。
【００４７】
感光体ドラム２２２は、一方向に回転し、その表面は、クリーニング装置２３２と除電装置によりクリーニングされた後、帯電装置２２４により均一に帯電される。
【００４８】
ＬＳＵ２２６は、印刷対象の画像データに基づいてレーザ光を変調し、このレーザ光によって感光体ドラム２２２の表面を主走査方向に繰返し走査して、静電潜像を感光体ドラム２２２の表面に形成する。
【００４９】
現像装置２２８は、トナーを感光体ドラム２２２の表面に供給して静電潜像を現像し、トナー像を感光体ドラム２２２の表面に形成する。
【００５０】
転写装置２３０は、当該転写装置２３０と感光体ドラム２２２との間を通過していく記録用紙に感光体ドラム２２２の表面のトナー像を転写する。
【００５１】
定着装置２３４は、記録用紙を加熱するための加熱ローラ２４８と、記録用紙を加圧するための加圧ローラ２５０とを含む。記録用紙は、加熱ローラ２４８によって加熱され、かつ、加圧ローラ２５０によって加圧されることによって、記録用紙上に転写されたトナー像が記録用紙に定着される。この定着装置２３４へ供給される電力によりヒータを温めて加熱ローラ２４８の温度が定着に適した温度になるように制御されている。なお、省エネモードに移行すると、例えば、このヒータへ供給される電力が停止されたり削減されたりする。
【００５２】
主搬送路２３６と反転搬送路２３８との接続位置には、分岐爪２４４が配設されている。記録用紙の片面のみに印刷が行なわれる場合は、分岐爪２４４が位置決めされ、この分岐爪２４４により定着装置２３４からの記録用紙が排紙トレイ２４６または排紙処理装置１０８の方へと導かれる。
【００５３】
記録用紙の両面に印刷が行なわれる場合は、分岐爪２４４が所定方向に回動されて記録用紙が一旦排紙トレイ２４６側へ導かれた後、スイッチバック搬送されて反転搬送路２３８の方へと導かれる。記録用紙は、反転搬送路２３８を通過して、その表裏を反転されて主搬送路２３６へと再び搬送され、主搬送路２３６の再度の搬送途中で、その裏面への印刷が行なわれて排紙トレイ２４６または排紙処理装置１０８の方へと導かれる。
【００５４】
上述のようにして印刷された記録用紙は、排紙トレイ２４６または排紙処理装置１０８の方へと導かれて排紙トレイ２４６に排出され、または排紙処理装置１０８の各排紙トレイ１１０のいずれかに排出される。
【００５５】
排紙処理装置１０８では、複数の記録用紙を各排紙トレイ１１０に仕分けして排出する処理、各記録用紙にパンチングする処理、および各記録用紙にステープルする処理を施す。例えば、複数部の印刷物を作成する場合は、各排紙トレイ１１０に印刷物の一部ずつが割り当てられるように、各記録用紙を各排紙トレイ１１０に仕分けして排出し、排紙トレイ１１０毎に、排紙トレイ１１０上の各記録用紙に対しパンチングユニット１１１によるパンチング処理またはステープルユニット１１２によるステープル処理を施して印刷物を作成する。
【００５６】
（ファクシミリモード）
以下において、ファクシミリモードでの動作について説明する。
このファクシミリモードにおいては、図３に示すように、主として、送信動作は原稿読取部（スキャナ部）１０２およびＦＡＸ通信部１６０が動作することにより、受信動作はＦＡＸ通信部１６０および画像形成部１０４が動作する。
【００５７】
（送信動作）
画像形成装置１００においては、ファクシミリモードを指定して、原稿載置台に置かれた原稿が原稿読取部１０２により画像データとして読取られ、読取られた画像データが図３に示すマイクロコンビュータ等から構成されるＣＰＵ３００に入力され、ここで画像データに各種の画像処理が施され、この画像データがＦＡＸ通信部（図３のＦＡＸ通信部１６０）へと出力される。
【００５８】
図３に示すように、送信側の画像形成装置１００のＦＡＸ通信部１６０は、指定された送信側の回線を指定された送信先に接続して、画像データをファクシミリ通信規格に合致した通信データへ変換して、受信側のファクシミリ装置（例えばファクシミリ機能を備えた画像形成装置１００）へ送信する。
【００５９】
（通信動作）
回線が接続されると、受信側の画像形成装置１００のＦＡＸ通信部１６０は、送信側の画像形成装置１００のＦＡＸ通信部１６０からの通信要求信号を検出して、応答信号を送信する。その後、例えば、ＦＡＸ通信部１６０は、送信側および受信側で互いに実装されている能力情報の受渡しを行ない、利用可能な最大能力での通信速度および画像データの符号化・符号訂正方式などを決定してモデムの通信方式を設定する。この通信方式にあわせた画像信号静式を用いて、送信側の画像形成装置１００のＦＡＸ通信部１６０から受信側の画像形成装置１００のＦＡＸ通信部１６０ヘデータを送信する。送信が終了すると回線が切断される。
【００６０】
（受信動作）
受信側の画像形成装置１００のＦＡＸ通信部１６０は、受信したデータを画像データに変換して、画像形成部１０４へ送る。なお、受信したデータを画像データへ変換するのは画像形成部１０４であっても構わない。画像形成部１０４は、上述したコピーモードにおける動作と同じように、受信したデータから変換された画像データによって示される原稿の画像を記録用紙に印刷する。
【００６１】
次に、画像形成装置１００の制御ブロック構成について図面を参照して説明する。
図３に示すように、画像形成装置１００は、さらに、コピーモード、ファクシミリモードとして装置が搭載する機能の設定が可能な操作ユニット１２０と、プログラム等を記憶するためのＲＯＭ３０６と、通電が遮断された場合であってもプログラムおよびデータ等を記憶可能な不揮発性記憶領域であるハードディスク３０２と、プログラムを実行する際の記憶領域を提供するためのＲＡＭ（Ｒａｎｄｏｍ  Ａｃｃｅｓｓ  Ｍｅｍｏｒｙ）３０８とを含む。
【００６２】
画像形成装置１００は、さらに、原稿読取部１０２、画像形成部１０４、ＦＡＸ通信部１６０、操作ユニット１２０、ＲＯＭ３０６、ハードディスク３０２、およびＲＡＭ３０８に接続されるパス３１０と、パス３１０に接続された、画像形成装置としての一般的機能を実現するためのＣＰＵ３００とを含む。
【００６３】
ハードディスク３０２には、この画像形成装置１００でスキャンした原稿の画像データのファイルが記憶される。また、ハードディスク３０２には、各動作モードの初期画面データが記憶されている。（ハードディスク３０２でなくてもＲＯＭ３０６に記憶させておくことも可能）
【００６４】
ＲＯＭ３０６には、画像形成装置１００の動作を制御するのに必要なプログラムおよびデータ等が記憶されている。このＲＯＭ３０６にプログラムとともに記憶するデータとして、各動作モードの初期画面データを記憶するようにしても構わない。ＣＰＵ３００は、ＲＯＭ３０６に格納されているプログラムおよびデータに従って画像形成装置１００の制御を行なうとともに画像形成装置１００の各機能に関する制御を実行する。
【００６５】
図３に示すように、この画像形成装置１００のＦＡＸ通信部１６０には、画像データの送受信用に公衆回線が接続され、ネットワークインターフェイス３０４には、ネットワーク回線が接続されている。このネットワーク回線には、この画像形成装置１００をネットワーク対応のプリンタとして使用するコンビュータ等が接続されたり、インターネットを介して指定されたＵＲＬ（Ｕｎｉｆｏｒｍ  Ｒｅｓｏｕｒｃｅ  Ｌｏｃａｔｏｒ）により特定されるコンピュータ等が接続されたりする。このようにインターネットに接続されると、画像形成装置１００は、インターネットを介して、必要な情報を取得することができる。
【００６６】
ＲＡＭ３０８は、ＣＰＵ３００による演算および処理の結果を一時的に記憶するワーキングメモリとしての機能と、画像データを記憶するフレームメモリとしての機能とを提供する。
【００６７】
原稿読取部１０２、画像形成部１０４、操作ユニット１２０を構成するタッチパネルディスプレイ１３０および表示操作部１４０、ならびにＲＯＭ３０６、ハードディスク３０２、およびＲＡＭ３０８に対する制御は、ＣＰＵ３００が所定のプログラムを実行することにより行なわれる。なお、操作ユニット１２０は、入出力インターフェイスを介してＣＰＵ３００と通信する。
【００６８】
操作ユニット１２０は、ユーザが目視しやすいように傾斜して設けられた板状のパネルで構成される。操作ユニット１２０の表面には、その左側の領域にタッチパネルディスプレイ１３０が、右側の領域に表示操作部１４０（表示灯１４２ならびにハードウェアボタンである電源キー１４４、省エネキー１４６およびホームキー１４８）が、備えられている。タッチパネルディスプレイ１３０および表示操作部１４０は、操作ユニット１２０が全体として一体となるように構成されている。
【００６９】
上述したように、このタッチパネルディスプレイ１３０は、表示パネル１３２と、表示パネル１３２に重ねて配置されたタッチパネル１３４とで構成される。
【００７０】
このタッチパネルディスプレイ１３０においては、表示パネル１３２に、この画像形成装置１００における動作モードを選択するホーム画面、この画像形成装置１００の現在の状態、宛先指定状況、ジョブの処理状況等が表示される。表示パネル１３２の表示領域上にはソフトウェアボタンである選択ボタンが表示され、この選択ボタンの表示されている領域を指で押すと、タッチパネル１３４がその押された位置を検出する。プログラム上で、選択ボタンの表示位置とタッチパネル１３４が押された位置とを照合することにより、画像形成装置１００の動作モード選択、機能設定および動作指示等が行なわれる。この画像形成装置１００はこのようなタッチ操作（ユーザによる押圧位置に基づくコマンド入力操作）に加えて、上述したジェスチャー操作（ユーザによる操作軌跡に基づくコマンド入力操作）にも対応している。
【００７１】
また、表示操作部１４０の表示灯１４２は、例えばＬＥＤ（Ｌｉｇｈｔ  Ｅｍｉｔｔｉｎｇ  Ｄｉｏｄｅ）で構成され、ＣＰＵ３００により点灯／消灯（／点滅）が制御される。主電源スイッチとは別に設けられた電源キー１４４をユーザが押下すると、この画像形成装置１００が待機モード（例えば主電源がオンの状態でＦＡＸ受信動作のみ可能）から通常モードへ移行して、この画像形成装置１００の全ての動作モードが使用できるようになる。この状態に連動して表示灯１４２が点灯する。さらに、ユーザが操作しない時聞が予め定められた時間を経過したり、省エネキー１４６をユーザが押下したりすると、この画像形成装置１００が通常モードから省エネモードへ移行して、この画像形成装置１００の一部の動作モードしか使用できないようになる。この状態に連動して表示灯１４２が点滅する。さらに、この省エネモードのときに、省エネキー１４６をユーザが押下すると、この画像形成装置１００が省エネモードから通常モードへ移行する。ホームキー１４８は、タッチパネルディスプレイ１３０の表示を初期状態（ホーム画面）へ戻すためのハードウェアキーである。なお、電源キー１４４、省エネキー１４６およびホームキー１４８を押下したときの処理はこれらに限定されるものではない。
【００７２】
なお、表示操作部１４０のハードウェアボタン（電源キー１４４、省エネキー１４６およびホームキー１４８）には、ＣＰＵ３００により点灯／消灯（／点滅）が制御されるキーランプを埋め込むようにしても構わない。例えば、このキーランプは、円型のキーの５周囲をリング状に光らせたり、キーの中央部を光らせたりする。操作デバイスとしてハードウェアボタンを使用することが許可されているタイミングで（ハードウェアボタンを使用すると処理が実行されるタイミングで）、このキーランプが点灯する。
【００７３】
本実施形態に係る画像形成装置１００においては、上述した２つの動作モード（コピーモード、ファクスモード）を備える。タッチパネルディスプレイ１３０には、それぞれの動作モードにおける機能設定用のソフトウェアボタンと、必要に応じて、画像形成イメージであるプレビューまたは宛先設定用のボタン等が表示される。
【００７４】
動作モードが違う場合には、タッチパネルディスプレイ１３０は、異なる画面が表示される。このような場合であっても、ユーザが要求する情報を容易に見つけることのできるように、タッチパネルディスプレイ１３０は複数の領域に分割されて（かつその領域の大きさを可変として）、各領域に情報を表示するという本発明の本質的部分を備える。特にこの画像形成装置１００においては、主たる表示操作デバイスとして設けられたタッチパネルディスプレイ１３０のホーム画面において動作モードを選択すると、各動作モードの初期画面が表示される。この初期画面において、（１）基本レイアウトが５つの領域（「システム領域」、「機能選択領域」、「プレビュー領域」、「アクションパネル領域」、「タスクトリガー領域」）に分割されて適切に配置されているので、左上から右下へユーザが操作することにより（このような大型のタッチパネルディスプレイ１３０を備えない従来機と同じようなユーザの視点の動線および指先の動線が実現されるために）容易に設定が可能で、（２）異なる動作モードであっても５つの領域のそれぞれに表示される概念は同じものであって、動作モードが異なってもユーザが混乱することなく操作が可能である。以下において、このような基本レイアウトの構成について説明する。
【００７５】
次に、画像形成装置１００のタッチパネルディスプレイ１３０における基本レイアウトについて図面を参照して説明する。
タッチパネルディスプレイ１３０の基本レイアウトは、図４に示すように、横長のタッチパネルディスプレイ１３０において（例えば、横１０２４ピクセル×縦６００ピクセル）、最上部に配置されたシステム領域１０００、画面中央部に配置されたプレビュー領域３０００、プレビュー領域３０００の左側に配置された機能設定／確認領域２０００（以下、機能選択領域２０００と記載する）、プレビュー領域３０００の右上部に配置されたアクションパネル領域４０００、および、プレビュー領域３０００の右下部に配置されたタスクトリガー領域５０００で構成される。
【００７６】
なお、タッチパネルディスプレイ１３０における領域の数は５つに限定されるものではなく、左右の並びもこれに限定されず、例えば、ユーザの利き手に応じて領域の左右の配置を逆にしても構わない。また、システム領域１０００の位置は最下部であっても構わない。また、状態もしくは設定によっては表示されなくても構わない。
【００７７】
システム領域１０００には、この画像形成装置１００の現時点での状態が表示され、操作中の動作モードのタイトル、画像形成装置１００の状況・状態が表示される。例えば、システム領域１０００には、動作モード名、割り込みキー、ログインユーザ名、処理中のジョブ状況、内蔵メモリ使用状態、時刻等が表示される。
【００７８】
機能選択領域２０００には、各機能の設定、表示の切換え設定の確認のためにユーザにより操作される機能選択メニュー（アイコン、ボタン等）が、アイコンモード、レギュラーモードおよびエキスプレスモードで表示態様を変更して、表示される。アイコンモードにおいては、プレビュー領域３０００が最も広くなるように機能選択領域２０００には機能設定用のアイコンのみが表示される。エキスプレスモードにおいては、プレビュー領域３０００が最も狭くなっても機能選択領域２０００には機能を一度に設定できる画面が大きく表示される。レギュラーモードにおいては、プレビュー領域３０００の大きさはアイコンモードとエキスプレスモードとの中間の大きさであって、機能選択領域２０００には機能設定のアイコンとともに機能名称がテキスト表示される。
【００７９】
これらのアイコンモード、レギュラーモードおよびエキスプレスモードの切換えユーザの操作に基づく。すなわち、プレビュー領域３０００の大きさが、ユーザの操作に応じて変更して表示される。このように、アイコンは、小さい領域でユーザへの情報を伝達することができるので、全ての機能に対して準備しておいて、プレビュー領域３０００が大きく表示できることが好ましい。
【００８０】
この機能選択領域２０００には、その下部に機能選択領域２０００の表示スタイルを変更する変更ボタン群２０１０を備える。変更ボタン群２０１０には、アイコンモードで機能選択領域２０００を表示するアイコンモード移行ボタン２０１２、「お気に入り」登録した機能を表示させるお気に入りボタン２０１４、設定が変更された機能を表示させるチェックボタン２０１６、選択されている動作モードにおいて設定可能な全ての機能の一覧を表示するリストボタン２０１８、レギュラーモードで機能選択領域２０００を表示するレギュラーモード移行ボタン２０２０、および、エキスプレスモードで機能選択領域２０００を表示するエキスプレスモード移行ボタン２０２２が配置されている。
【００８１】
なお、機能選択領域２０００に表示される情報が多い場合には、この機能選択領域２０００において上下方向にスクロール可能に情報が表示される。この場合において、この変更ボタン群２０１０はスクロールされないで、機能選択領域２０００の最下部に常に表示される。
【００８２】
プレビュー領域３０００には、原稿の出力（仕上がり）イメージが表示される。ダミーデータまたはスキャンデータを用いてイメージ表示し、ユーザが仕上がりを変更する毎にプレビュー領域３０００に表示されているイメージが変更される。このプレビュー領域３０００においては、スキャン前のバーチヤルモードでのダミーイメージでの仕上がり表示、スキャン後のスキャンインモードでの実イメージでの仕上がり表示の２つのモードを有し、さらにバーチヤルモードには、原稿セット前および原稿セット後の２種類がある。
【００８３】
このプレビュー領域３０００には、その下部にプレビュー領域３０００の表示スタイルを変更するプレビュー変更ボタン群３０１０を備える。プレビュー変更ボタン群３０１０には、プレビューを左に９０度回転させる左回転ボタン３０１６、プレビューを右に９０度回転させる右回転ボタン３０１８、ズームバー３０２０が配置されている。これら以外にも、例えばカラー変更ボタン３０１２およびプレビュー操作ボタン３０１４が配置されている。
【００８４】
ここで、左回転ボタン３０１６を１回タッチ操作するとプレビューが左に９０度回転されて、２回タッチ操作するとプレビューが左に１８０度回転される（上下反転）。また、プレビュー領域に表示された仕上がり原稿イメージをジェスチャー操作しても（指先で原稿イメージを反時計回転方向に１８０度回転させても）、プレビューが左に１８０度回転されて上下反転される。
【００８５】
右回転ボタン３０１８を１回タッチ操作するとプレビューが右に９０度回転されて、２回タッチ操作するとプレビューが右に１８０度回転される（上下反転）。また、プレビュー領域に表示された仕上がり原稿イメージをジェスチャー操作しても（指先で原稿イメージを時計回転方向に１８０度回転させても）、プレビューが右に１８０度回転されて上下反転される。
【００８６】
ズームバー３０２０のプラスボタン３０２０Ａをタッチ操作したり、バ−３０２０Ｃをプラスボタン３０２０Ａ側へジェスチャー操作（ドラッグまたはフリック）したりすると、プレビューが拡大して表示される。また、プレビュー領域に表示された仕上がり原稿イメージをジェスチャー操作しても（指先で原稿イメージをピンチアウト／ピンチオープンさせても）、プレビューが拡大して表示される。
【００８７】
ズームバー３０２０のマイナスボタン３０２０Ｂをタッチ操作したり、バ−３０２０Ｃをマイナスボタン３０２０Ｂ側ヘジェスチャー操作（ドラッグまたはフリック）したりすると、プレビューが縮小して表示される。また、プレビュー領域に表示された仕上がり原稿イメージをジェスチャー操作しても（指先で原稿イメージをピンチイン／ピンチクローズさせても）、プレビューが縮小して表示される。
【００８８】
なお、プレビュー領域３０００に表示される原稿イメージのページ数が多い場合には、タッチ操作可能な表示ページ選択ボタン（ページ番号入力ボタン、ページ送りボタン、ページ戻しボタン、単ページ表示ボタン、複数ページ表示ボタン等）を表示するようにしても構わない。なお、原稿イメージをジェスチャー操作（フリック）してもプレビューされる原稿のページ送り、ページ戻しを行なうこともできる。また、プレビュー領域３０００に表示される原稿イメージが大きい場合には、タッチ操作またはジェスチャー操作可能なスクロールバーを表示するようにしても構わない。
【００８９】
アクションパネル領域４０００には、操作についての補助・助言・提案についての情報が表示される。このアクションパネル領域４０００には、例えば、あるユーザが特定の機能を選択すると、その機能に関連する機能を表示したり、目的指向でその機能についての他の機能を表示したり、このユーザまたはこのユーザが所属するグループのユーザが過去に組み合わせて選択した機能を「おすすめ機能」として表示したりする。
【００９０】
タスクトリガー領域５０００には、その動作モードにおける全ての設定が完了して、この画像形成装置１００を実際に動作させるためにユーザにより操作されるトリガー一項目が表示される。例えば、処理を開始させるためのスタートボタン（ソフトウェアボタン）である。なお、印字を伴う動作モード（ファクス送信以外）において、消耗品切れについての情報も、タスクの実行不可に関連するので、この「タスクトリガー領域」に表示される。
【００９１】
この場合において、スタートボタンが押下できる状態の場合にのみ、スタートボタンを表示することも好ましい。スタートボタンが押下できる状態とは、印字を伴う動作モードの場合には、全ての設定が終了してかつ消耗品（記録用紙およびトナー）切れでない状態であって、印字を伴わない動作モードであるファクスモード（送信）の場合には、宛先を含む全ての送信パラメータの設定が終了した状態である。
【００９２】
これらの５領域は、動作モードが変更されても（どの動作モードの初期画面においても、その配置された位置は変更されない。また、機能選択領域２０００（およびプレビュー領域３０００）におけるアイコンモード／レギュラーモード／エキスプレスモードの切換え示のように、領域はタッチパネルディスプレイ１３０の画面横方向（長手方向）に伸縮してサイズが変化する。
【００９３】
このような５領域の配置は、従来機におけるユーザインターフェイスをも考慮しつつ、ユーザの視点の動線および操作の動線に着目して配置されている。このような配置により、タッチパネルディスプレイ１３０において、左上から右下へユーザの視線が動いて、左上から右下へユーザの操作（利き手の指先）が動く。
【００９４】
なお、ある動作モードから他の動作モードへ遷移するためには、ホームキー１４８を押下して、ホーム画面において他の動作モードを選択する。このように、ホーム画面を経由して、動作モードが切換えられる。
【００９５】
（コピーモードの初期画面表示動作）
コピーモードが選択されると、ハードディスク３０２等から読出したコピー初期画面データを用いてタッチパネルディスプレイ１３０にコピーモードの初期画面が表示される。
このとき、例えば、タッチパネルディスプレイ１３０には、図５に示すように、コピーモード初期画面７１００が表示される。コピーモード初期画面７１００は、上述したレイアウト構成の５領域に分割されて情報が表示される。
【００９６】
コピーモード初期画面７１００のシステム領域１０００には、図５に示すように、選択されている動作モード（ここではコピーモード）を示すエリア１１０２、選択された動作モードに付随するサブ情報を表示するエリア１１０４、ログインユーザ名を表示するエリア１１０６、ログアウトボタン（ソフトウェアボタン）が表示されるエリア１１０８、現在実行中のジョブ状況を表示するエリア１１１０、ジョブ状況に関係するボタン（ソフトウェアボタン）が表示されるエリア１１１２、通信状態が表示されるエリア１１１４、現在時刻が表示されるエリア１１１６が配置されている。
【００９７】
エリア１１０２には、動作モードを示す名称または／およびアイコンが表示される。
このエリア１１０２をタッチ操作、タップ操作またはダブルタップ操作すると、動作モードを示すメニューがプルダウン表示されて動作モードを切換えことができるようにすることも好ましい（他の動作モードにおいても同じ）。
【００９８】
エリア１１０４には、サブ情報として、割り込みキー（ソフトウェアボタン）が表示される。この割り込みキーをタッチ操作、タップ操作またはダブルタップ操作すると、コピーモードにおいて割り込み処理を実行することができる。
【００９９】
エリア１１１２には、現在実行中のジョブ状況がアイコンで表示される。このジョブ状況をタッチ操作、タップ操作またはダブルタップ操作すると、詳細なジョブ状況情報が表示される。さらに、エリア１１１２には、選択されたジョブを停止させるボタン等を表示することも好ましい。
【０１００】
コピーモード初期画面７１００の機能選択領域２０００には、コピーモードにおいてユーザが選択できる機能選択メニュー２１００および上述した変更ボタン群２０１０が表示されている。図５に示す画面では、レギュラーモードで機能選択メニューが表示されている。
【０１０１】
図５に示すように、レギュラーモードで表示される機能選択メニューは、アイコン群２１００とテキスト群２１２０とで構成される。この機能選択領域２０００に表示される機能選択メニューとして、コピー一部数を設定するアイコン２１０２および設定された内容を表示するテキス卜２１２２、カラーモードを設定するアイコン２１０４および設定された内容を表示するテキスト２１２４、コピー濃度を設定するアイコン２１０６および設定された内容を表示するテキスト２１２６、コピー倍率を設定するアイコン２１０８および設定された内容を表示するテキスト２１２８、原稿の種類を設定するアイコン２１１０および設定された内容を表示するテキスト２１３０、用紙の種類を設定するアイコン２１１２および設定された内容を表示するテキスト２１３２、画像を編集するアイコン２１１４および設定された内容を表示するテキスト２１３４、レイアウトを編集するアイコン２１１６および設定された内容を表示するテキスト２１３６が表示されている。
【０１０２】
なお、上述したように、これらの機能設定メニューにおけるさらなる項目は、変更ボタン群２０１０の表示位置を固定した状態で、上下方向にスクロール可能に表示することができる。そして、上下方向に隠れて表示されていない項目を含めて機能設定メニューの表示項目を切換えことは、タッチ操作（スクロール操作）でもジェスチャー操作（上下方向へフリック操作）のいずれの操作でも可能である。
【０１０３】
ここで、画像編集とは、１ページの原稿に対する画像編集であって、さらに下位の階層メニューとして、枠消去、印字メニュー、ウォータマーク、ユーザスタンプ等があり、レイアウト編集とは、複数ページの原稿に対する画像編集であって、さらに下位の階層メニューとして、ページ集約、綴じしろ、ページ移動、センタリング等がある。これらのさらなる下位メニューは、アイコン２１０２〜アイコン２１１６またはテキスト２１２２〜テキス卜２１３６をタッチ操作、タップ操作またはダブルタップ操作すると、タッチパネルディスプレイ１３０に表示される。
【０１０４】
コピーモード初期画面７１００のプレビュー領域３０００には、原稿の出力（仕上がり）イメージ３１００および上述したプレビュー変更ボタン群３０１０が配置されている。このとき、ダミーデータまたはスキャンデータを用いてイメージ３１００が表示され、ユーザが機能選択領域２０００の機能設定メニューを変更する毎に、イメージ３１００が変更されてプレビュー領域３０００に表示される（プレビューの表示が変更）。
【０１０５】
コピーモード初期画面７１００のアクションパネル領域４０００には、コピー操作についての補助・助言・提案についての情報が表示されている。ここでは、図５に示すように、このユーザが選択したコピーモードにおけるおすすめ機能が表示される。このとき、アクションパネル領域４０００は、表示されている情報の内容を示すエリア４１００、それ自体がソフトウェアボタンとしておすすめ機能をテキスト表示するエリア４１０２〜エリア４１０６が配置されている。
【０１０６】
エリア４１０２をタッチ操作、タップ操作またはダブルタップ操作すると、省エネコピーについてのさらに詳細な情報がプルダウン表示される。例えば、このとき、「両面印刷すると用紙を節約できます」というテキストとともに両面コピーの機能設定画面へ遷移するソフトウェアボタンと、「複数の原稿を集約して印刷すると用紙を節約できます」というテキストとともにページ集約の機能設定画面へ遷移するソフトウェアボタンと、「本のように綴じられるように印刷することができます」というテキストとともに中綴じの機能設定画面へ遷移するソフトウェアボタンとが、表示される。
【０１０７】
コピーモード初期画面７１００のタスクトリガー領域５０００には、実行ボタン群５１００が表示される。この実行ボタン群５１００として、原稿をスキャンして画像データを取得するように画像形成装置１００を作動させるスキャンインキー（ソフトウェアボタン）５１０２、設定した機能をクリアするクリアオールキー（ソフトウェアボタン）５１０４、原稿をスキャンしてモノクロコピーを実行するように画像形成装置１００を作動させるモノクロスタートキー（ソフトウェアボタン）５１０６、原稿をスキャンしてカラーコピーを実行するように画像形成装置１００を作動させる力ラースタートキー（ソフトウェアボタン）５１０８が配置されている。
【０１０８】
このように、５つの領域に分割して情報が表示されたコピーモード初期画面７１００において、ユーザが要求を入力すると、その要求に従ってコピー処理が実行される。
【０１０９】
次に、機能選択領域２０００をアイコンモードで表示してプレビュー領域３０００を広げた場合の、プレビューページの変更動作について説明する。
【０１１０】
図６に示すように、プレビューのイメージ３１１８が表示されている場合において、ユーザが、プレビュー表示された画面をユーザが左へフリックすると、入力軌跡が分析される。このとき、このユーザによるジェスチャー操作はページをめくる要求であると分析されて、フリックした方向に応じた表示されていない別のページを含むプレピューイメージが表示される。
【０１１１】
また、このようにプレビューイメージが表示されるページを移動させるには、ページ送りボタン３１１８Ｇ、ページ早送りボタン３１１８Ｈ、ページ戻しボタン３１１８Ｅ、ページ早戻しボタン３１１８Ｄをタッチ操作しでも可能である。さらに、ページ直接指定ボタン３１１８Ｆをタッチして直接移動させたいページを入力することにより、プレビューイメージが表示されるページを移動させることも可能である。
【０１１２】
このように、機能選択領域２０００がアイコンモードで表示されると、プレビュー領域３０００が広がり、図６に示すように、ユーザの視認性およびユーザの操作性が高まるように、プレビューイメージを表示することができる。特に、タッチ操作またはジェスチャー操作により、表示させたいプレビューイメージまで移動して、所望のプレビューを表示させることができる。
【０１１３】
なお、図６に示すごみ箱アイコン３１１８Ａは、選択したページをごみ箱アイコン３１１８Ａまでドラッグすることによりそのページを削除することができる。
【０１１４】
また、１ページ表示アイコン３１１８Ｂを押下することにより、例えば３ページ表示していたプレビューが１ページ表示になり（このとき１ページ分を大きく表示）、複数ページ表示アイコン３１１８Ｃを押下することにより、例えば、１ページ表示していたプレビューが３ページ表示になる。
【０１１５】
次に、本実施形態の画像形成装置１００における特徴的な操作ユニット１２０の構成について図面を参照して詳細に説明する。
図７は本実施形態の画像形成装置の操作ユニットを構成するタッチパネルディスプレイの構成を示すブロック図である。
【０１１６】
本実施形態に係る操作ユニット１２０は、上述した構成に加えて、図７に示すように、表示パネル１３２に複数ページの原稿画像をプレビュー表示するプレビュー表示機能と、プレビュー表示された複数ページの原稿画像をスクロール表示するスクロール表示機能とを備えて表示制御手段として機能するタッチパネルディスプレイ１３０における制御部１３１として、ユーザがタッチパネルディスプレイ１３０上でタッチ操作する位置を指示する際に、ユーザがタッチパネルディスプレイ１３０上に表示される複数ページの原稿画像のプレビュー画像のうち基準となる原稿画像に対する操作指示位置を検知する操作指示位置検知手段１３１１と、操作指示位置検知手段１３１１により検知された操作指示位置に応じて、プレビュー画像の表示方向（原稿画像の配列方向）を切換えるプレビュー表示方向切換え手段１３１２と、操作指示位置検知手段１３１１により検知された操作指示位置に応じて、プレビュー画像のスクロール方向を切換えるスクロール方向切換え手段１３１３とを備えている。
【０１１７】
また、制御部１３１は、操作指示位置検知手段１３１１により検知された操作指示位置に新たな原稿画像を挿入する原稿画像挿入手段１３１４と、操作指示位置検知手段１３１１により検知された操作指示位置に表示される複数ページの原稿画像の中から選択された原稿画像を移動する原稿画像移動手段１３１５と、仕上げ処理を設定する仕上げ処理設定手段１３１６と、原稿画像の仕上がり状態をプレビュー表示する仕上がり状態表示手段１３１７と、操作指示位置検知手段１３１１により検知された操作指示位置に応じて、仕上げ処理において設定された綴じ位置を変更する仕上げ処理設定変更手段１３１８とを備えている。
【０１１８】
本実施形態では、タッチパネル１３４が操作指示位置検知手段１３１１として機能するように構成されている。
【０１１９】
プレビュー表示方向切換え手段１３１２は、基準となる原稿画像と原稿画像挿入手段１３１４により挿入された新たな原稿画像とが並ぶ方向に沿ってプレビュー表示方向を設定する機能と、基準となる原稿画像と原稿画像移動手段１３１５により移動された原稿画像とが並ぶ方向に沿ってプレビュー表示方向を設定する機能とを備えている。
【０１２０】
スクロール方向切換え手段１３１３は、基準となる原稿画像と原稿画像挿入手段１３１４により挿入された新たな原稿画像とが並ぶ方向に沿ってスクロール方向を設定する機能と、基準となる原稿画像と原稿画像移動手段１３１５により移動された原稿画像とが並ぶ方向に沿ってスクロール方向を設定する機能とを備えている。
【０１２１】
さらに、プレビュー表示方向切換え手段１３１２は、基準となる原稿画像から操作指示位置検知手段１３１１により検知された操作指示位置に向う方向に沿ってプレビュー表示方向を設定する機能を備え、スクロール方向切換え手段１３１３は、基準となる原稿画像から操作指示位置検知手段１３１１により検知された操作指示位置に向う方向に沿ってスクロール方向を設定する機能を備えている。
【０１２２】
具体的には、操作指示位置検知手段１３１１が、基準となる原稿画像の上側または下側で操作指示位置を検知したときは、プレビュー表示方向切換え手段１３１２は、プレビュー画像の表示方向をタッチパネルディスプレイ１３０において縦方向に設定し、スクロール方向切換え手段１３１３は、プレビュー画像のスクロール方向をタッチパネルディスプレイ１３０において縦方向に設定する。
【０１２３】
また、操作指示位置検知手段１３１１が、基準となる原稿画像の右側または左側で操作指示位置を検知したときは、プレビュー表示方向切換え手段１３１２は、プレビュー画像の表示方向をタッチパネルディスプレイ１３０において横方向に設定し、スクロール方向切換え手段１３１３は、プレビュー画像のスクロール方向をタッチパネルディスプレイ１３０において横方向に設定する。
【０１２４】
仕上げ処理設定変更手段１３１８は、操作指示位置検知手段１３１１により検知された新たな原稿画像を挿入する操作指示位置に応じて、仕上げ処理において設定された綴じ位置を変更する機能と、操作指示位置検知手段１３１１により検知された表示される複数ページの原稿画像の中から選択された原稿画像を移動する操作指示位置に応じて、仕上げ処理において設定された綴じ位置を変更する機能とを備えている。
【０１２５】
さらに、プレビュー表示方向切換え手段１３１２は、操作指示位置検知手段１３１１により検知された操作指示位置に応じて、タッチパネルディスプレイ１３０上で上下方向に並んで表示されているプレビュー画像を、表示方向を左右方向に切換えてプレビュー表示するように設定する際は、タッチパネルディスプレイ１３０上で右側から左側に向って並べるのか、左側から右側に向って並べるのかを選択可能とする機能を備えている。
【０１２６】
次に、本実施形態の画像形成装置１００のタッチパネルディスプレイ１３０に表示される原稿画像のプレビュー表示において、原稿画像の挿入および移動に伴う原稿画像の表示方向の切換え操作について、フローチャートに沿って説明する。
図８は本実施形態に係る画像形成装置のタッチパネルディスプレイに表示される原稿画像の挿入および移動に伴う原稿画像の表示方向の切換え操作の手順を示すフローチャートである。
【０１２７】
画像形成装置１００において、タッチパネルディスプレイ１３０の表示パネル１３２に印刷される原稿画像のプレビュー表示は、図８に示す動作フローに基づき原稿画像の表示方向の切換え操作が行なわれる。
【０１２８】
図８に示すように、まず、プレビュー表示される原稿画像の一覧が所定の方向（ここでは表示パネル１３２の幅方向）に向って配列表示される（ステップＳ１）。そして、新たな原稿画像の挿入指示がされたか否かが判断される（ステップＳ２）。
【０１２９】
ステップＳ２において、新たな原稿画像の挿入指示がされたと判断されると、「ページ挿入モード」にはいり、新たな原稿画像が挿入される位置（基準となる原稿画像の上下左右域）が特定されたか否かが判断される（ステップＳ３）。
【０１３０】
ステップＳ３において、基準となる原稿画像に対する新たな原稿画像の挿入位置が特定されると、基準となる原稿画像に対して指示された操作指示位置（基準となる原稿画像と隣接する原稿画像との間）に新たな原稿画像が挿入される（ステップＳ４）。
【０１３１】
なお、新たに原稿画像を挿入する位置（操作指示位置）は、タッチパネル１３４上におけるユーザの指によるタッチ操作に基づき操作指示位置検知手段１３１１により検知されることで操作指示位置として決定される。
【０１３２】
そして、操作指示位置検知手段１３１１により検知された操作指示位置に応じて、プレビュー表示方向切換え手段１３１２によりプレビュー画像の表示方向が必要に応じて切換えられて、表示パネル１３２上にプレビュー表示される（ステップＳ５）。そして処理動作は終了する。
【０１３３】
一方、ステップＳ２において、新たな原稿画像の挿入指示がされていない判断されると、「ページ移動モード」の確認を行ない、移動する原稿画像が特定されたか否かが判断される（ステップＳ６）。
【０１３４】
ステップＳ６において、移動する原稿画像が特定されたことが確認されると、次に特定された原稿画像を移動する位置が決定されたか否かが判断される（ステップＳ７）。
【０１３５】
なお、特定された原稿画像を移動する位置（操作指示位置）は、タッチパネル１３４上におけるユーザの指によるタッチ操作に基づき操作指示位置検知手段１３１１により検知されることで操作指示位置として決定される。
【０１３６】
ステップＳ７において、特定された原稿画像を移動する位置が決定されたと判断されると、決定された操作指示位置に特定された原稿画像が移動される（ステップＳ８）。
【０１３７】
そして、操作指示位置検知手段１３１１により検知された操作指示位置に応じて、プレビュー表示方向切換え手段１３１２によりプレビュー画像の表示方向が必要に応じて切換えられて、表示パネル１３２上にプレビュー表示される（ステップＳ９）。そして処理動作は終了する。
【０１３８】
また、ステップＳ３において、新たな原稿画像が挿入される位置の原稿画像（基準となる原稿画像）が特定されていないと判断されると、表示パネル１３２上で現在表示されているプレビュー画像をページスクロールする指示がされたか否かが判断される（ステップＳ１０）。
【０１３９】
ステップＳ１０において、ページスクロールする指示がされたと判断されると、ユーザが指示する操作方向にプレビュー画像をページスクロールされる（ステップＳ１１）。そしてステップＳ３に戻る。
【０１４０】
一方、ステップＳ１０において、ページスクロールの指示ではないと判断されると、「ページ挿入モード」を解除する指示があるか否かが判断される（ステップＳ１２）。
【０１４１】
ステップＳ１２において、「ページ挿入モード」を解除する指示がされたと判断されると、「ページ挿入モード」が解除されて、表示パネル１３２上の画面表示は先の画面表示に復帰して（ステップＳ１３）、処理動作は終了する。
【０１４２】
一方、ステップＳ１２において、「ページ挿入モード」を解除しないと判断された場合は、ステップＳ３に戻る。
【０１４３】
以上のようにして、原稿画像の挿入および移動に伴うプレビュー画像の表示方向の切換え操作が行なわれる。
【０１４４】
尚、画像形成装置１００における原稿画像の挿入および移動に伴うプレビュー画像のスクロール方向の切換え操作については、上記のプレビュー画像の表示方向の切換え操作の説明において、「プレビュー表示方向切換え手段１３１２」を「スクロール方向切換え手段１３１３」に置き換え、また、「表示方向」を「スクロール方向」に置き換えることで、プレビュー画像のスクロール方向の切換え操作の説明とすることができる。
【０１４５】
次に、本実施形態の画像形成装置１００におけるタッチパネルディスプレイ１３０による特徴的な原稿画像のプレビュー表示の表示方向切換えとスクロール方向切換えについて、実施例に基づき図面を参照して説明する。
なお、以下の説明は、タッチパネルディスプレイ１３０にプレビュー表示される原稿画像のみを模式的に示した図面を参照して説明を行なうが、先の説明にあるように、タッチパネルディスプレイ１３０の画面全体を用いて原稿画像のプレビュー表示を行なうようにしたものであてもよく、また、タッチパネルディスプレイ１３０上のプレビュー領域３０００においてプレビュー表示を行ってもよく、タッチパネルディスプレイ１３０上の機能選択領域２０００をアイコンモードで表示してプレビュー領域３０００を広げた上でプレビュー表示を行なうことも可能である。
【０１４６】
（実施例１）
実施例１は、画像形成装置１００のタッチパネルディスプレイ１３０において、表示パネル１３２上で横方向（左右方向）に表示された原稿画像のプレビュー表示に対して、新たな原稿画像を横方向の位置に挿入するものである。
【０１４７】
図９は実施例１の画像形成装置におけるタッチパネルディスプレイ上に原稿画像をプレビュー表示した一例を示す説明図、図１０（ａ）は前記タッチパネルディスプレイ上のプレビュー表示において原稿画像を横方向に配列して表示した状態を示す説明図、（ｂ）は前記プレビュー表示において基準となる原稿画像の横位置に新たな原稿画像を挿入したときのプレビュー表示を示す説明図である。
【０１４８】
本実施形態では、タッチパネルディスプレイ１３０には、図９に示すように、コピーモードの表示画面において切換えモード選択ボタン１３２０が表示されている。表示されているプレビュー画像Ｐ１０に対して新たな原稿画像を挿入する場合は、切換えモード選択ボタン１３２０により「ページ挿入モード」を選択する。
【０１４９】
実施例１では、画像形成装置１００のタッチパネルディスプレイ１３０上に表示されるプレビュー画像Ｐ１０は、図１０（ａ）に示すように、原稿画像Ｐ１１，Ｐ１２，Ｐ１３がタッチパネルディスプレイ１３０上で左側から右側に向って横方向に並んでプレビュー表示されている。
【０１５０】
ここで、プレビュー画像Ｐ１０に対して新たな原稿画像を挿入する場合は、図１０（ａ）に示すように、新たな原稿画像を挿入する位置（操作指示位置）をユーザの指によるタッチ操作により指示して、その位置に新たな原稿画像を挿入する。
【０１５１】
実施例１においては、図１０（ａ）に示すように、プレビュー画像Ｐ１０において原稿画像Ｐ１２を基準となる原稿画像として、原稿画像Ｐ１２の左側をユーザの指によりタッチ操作して、その位置を新たな原稿画像Ｐ１４が挿入される操作指示位置として指示する。
【０１５２】
そして、新たな原稿画像Ｐ１４は、原稿画像挿入手段１３１４によって、図１０（ｂ）に示すように、プレビュー画像Ｐ１０において基準となる原稿画像Ｐ１２の左側で原稿画像Ｐ１１と挟まれる位置に挿入される。
【０１５３】
このとき、ユーザがタッチパネル１３４上でタッチ操作することで操作指示位置検知手段１３１１により検知された操作指示位置に応じて、プレビュー表示方向切換え手段１３１２によりプレビュー画像Ｐ１０の表示方向（原稿画像Ｐ１１，Ｐ１２，Ｐ１３の配列方向）が切換えられる。
【０１５４】
実施例１では、基準となる原稿画像Ｐ１２に対する操作指示位置の配置方向が既に表示されたプレビュー画像Ｐ１０の表示方向と同じ横方向となっているので、プレビュー画像Ｐ１０の表示方向は横方向で設定される。
【０１５５】
また、操作指示位置検知手段１３１１により検知された操作指示位置に応じて、スクロール方向切換え手段１３１３によりプレビュー画像Ｐ１０のスクロール方向が切換えられる。
【０１５６】
実施例１では、基準となる原稿画像Ｐ１２に対する操作指示位置の配置方向が既に表示されたプレビュー画像Ｐ１０の表示方向と同じ横方向となっているので、プレビュー画像Ｐ１０のスクロール方向は横方向で設定される。
【０１５７】
このようにして、プレビュー画像Ｐ１０は、新たに挿入された原稿画像Ｐ１４と基準となる原稿画像Ｐ１２とが並ぶ方向に沿った横方向（図中の矢印Ａ方向）で表示され、プレビュー画像Ｐ１０のスクロール方向は、プレビュー表示方向と同様に横方向となる。
【０１５８】
（実施例２）
実施例２は、実施例１の変形例であって、画像形成装置１００のタッチパネルディスプレイ１３０において、表示パネル１３２上で横方向（左右方向）に表示された原稿画像のプレビュー表示に対して、新たな原稿画像を実施例１とは異なる横方向の位置に挿入するものである。
【０１５９】
図１１（ａ）は実施例２の画像形成装置におけるタッチパネルディスプレイ上のプレビュー表示において原稿画像を横方向に配列して表示した状態を示す説明図、（ｂ）は前記プレビュー表示において基準となる原稿画像の横位置に新たな原稿画像を挿入したときのプレビュー表示を示す説明図である。
【０１６０】
実施例２においては、図１１（ａ）に示すように、プレビュー画像Ｐ２０において原稿画像Ｐ１２を基準となる原稿画像として、原稿画像Ｐ１２の右側をユーザの指によりタッチ操作して、その位置を新たな原稿画像Ｐ１４が挿入される操作指示位置として指示する。
【０１６１】
そして、新たな原稿画像Ｐ１４は、原稿画像挿入手段１３１４によって、図１１（ｂ）に示すように、プレビュー画像Ｐ２０において基準となる原稿画像Ｐ１２の右側で原稿画像Ｐ１３と挟まれる位置に挿入される。
【０１６２】
実施例２では、プレビュー画像Ｐ２０は、新たに挿入された原稿画像Ｐ１４と基準となる原稿画像Ｐ１２とが並ぶ方向に沿った横方向（図中の矢印Ａ方向）で表示され、プレビュー画像Ｐ２０のスクロール方向は、プレビュー表示方向と同様に横方向となる。
【０１６３】
（実施例３）
実施例３は、画像形成装置１００のタッチパネルディスプレイ１３０において、表示パネル１３２上で横方向（左右方向）に表示された原稿画像のプレビュー表示に対して、新たな原稿画像を縦方向（上下方向）の位置に挿入するものである。
【０１６４】
図１２（ａ）は実施例３の画像形成装置におけるタッチパネルディスプレイ上のプレビュー表示において原稿画像を横方向に配列して表示した状態を示す説明図、（ｂ）は前記プレビュー表示において基準となる原稿画像の縦位置に新たな原稿画像を挿入したときのプレビュー表示を示す説明図である。
【０１６５】
実施例３では、画像形成装置１００のタッチパネルディスプレイ１３０上に表示されるプレビュー画像Ｐ３０は、図１２（ａ）に示すように、原稿画像Ｐ１１，Ｐ１２，Ｐ１３がタッチパネルディスプレイ１３０上で左側から右側に向って横方向に並んでプレビュー表示されている。
【０１６６】
ここで、プレビュー画像Ｐ３０に対して新たな原稿画像を挿入する場合は、図１２（ａ）に示すように、新たな原稿画像を挿入する位置（操作指示位置）をユーザの指によるタッチ操作により指示して、その位置に新たな原稿画像を挿入する。
【０１６７】
実施例３においては、図１２（ａ）に示すように、プレビュー画像Ｐ３０において原稿画像Ｐ１２を基準となる原稿画像として、原稿画像Ｐ１２の上側をユーザの指によりタッチ操作して、その位置を新たな原稿画像Ｐ１４が挿入される操作指示位置として指示する。
【０１６８】
そして、新たな原稿画像Ｐ１４は、原稿画像挿入手段１３１４によって、図１２（ｂ）に示すように、プレビュー画像Ｐ３０において基準となる原稿画像Ｐ１２の上側の位置に挿入される。
【０１６９】
このとき、ユーザがタッチパネル１３４上でタッチ操作することで操作指示位置検知手段１３１１により検知された操作指示位置に応じて、プレビュー表示方向切換え手段１３１２によりプレビュー画像Ｐ３０の表示方向（原稿画像Ｐ１１，Ｐ１２，Ｐ１３の配列方向）が切換えられる。
【０１７０】
実施例３では、基準となる原稿画像Ｐ１２に対する操作指示位置の配置方向が縦方向となっているので、プレビュー画像Ｐ３０の表示方向は縦方向に切換えられる。
【０１７１】
また、操作指示位置検知手段１３１１により検知された操作指示位置に応じて、スクロール方向切換え手段１３１３によりプレビュー画像Ｐ３０のスクロール方向が切換えられる。
【０１７２】
実施例３では、基準となる原稿画像Ｐ１２に対する操作指示位置の配置方向が縦方向となっているので、プレビュー画像Ｐ３０のスクロール方向は縦方向に切換えられる。
【０１７３】
このようにして、プレビュー画像Ｐ３０は、新たに挿入された原稿画像Ｐ１４と基準となる原稿画像Ｐ１２とが並ぶ方向に沿った縦方向（図中の矢印Ｂ方向）で表示され、プレビュー画像Ｐ３０のスクロール方向は、プレビュー表示方向と同様に縦方向にとなる。
【０１７４】
（実施例４）
実施例４は、実施例３の変形例であって、画像形成装置１００のタッチパネルディスプレイ１３０において、表示パネル１３２上で横方向（左右方向）に表示された原稿画像のプレビュー表示に対して、新たな原稿画像を実施例３とは異なる縦方向（上下方向）の位置に挿入するものである。
【０１７５】
図１３（ａ）は実施例４の画像形成装置におけるタッチパネルディスプレイ上のプレビュー表示において原稿画像を横方向に配列して表示した状態を示す説明図、（ｂ）は前記プレビュー表示において基準となる原稿画像の縦位置に新たな原稿画像を挿入したときのプレビュー表示を示す説明図である。
【０１７６】
実施例４においては、図１３（ａ）に示すように、プレビュー画像Ｐ４０において原稿画像Ｐ１２を基準となる原稿画像として、原稿画像Ｐ１２の下側をユーザの指によりタッチ操作して、その位置を新たな原稿画像Ｐ１４が挿入される操作指示位置として指示する。
【０１７７】
そして、新たな原稿画像Ｐ１４は、原稿画像挿入手段１３１４によって、図１３（ｂ）に示すように、プレビュー画像Ｐ４０において基準となる原稿画像Ｐ１２の下側の位置に挿入される。
【０１７８】
実施例４では、プレビュー画像Ｐ４０は、新たに挿入された原稿画像Ｐ１４と基準となる原稿画像Ｐ１２とが並ぶ方向に沿った縦方向（図中の矢印Ｂ方向）で表示され、プレビュー画像Ｐ４０のスクロール方向は、プレビュー表示方向と同様に縦方向となる。
【０１７９】
（実施例５）
実施例５は、画像形成装置１００のタッチパネルディスプレイ１３０において、表示パネル１３２上で縦方向（上下方向）に表示された原稿画像のプレビュー表示に対して、新たな原稿画像を縦方向の位置に挿入するものである。
【０１８０】
図１４（ａ）は実施例５の画像形成装置におけるタッチパネルディスプレイ上のプレビュー表示において原稿画像を縦方向に配列して表示した状態を示す説明図、（ｂ）は前記プレビュー表示において基準となる原稿画像の縦位置に新たな原稿画像を挿入したときのプレビュー表示を示す説明図である。
【０１８１】
実施例５では、画像形成装置１００のタッチパネルディスプレイ１３０上に表示されるプレビュー画像Ｐ５０は、図１４（ａ）に示すように、原稿画像Ｐ１１，Ｐ１２，Ｐ１３がタッチパネルディスプレイ１３０上で上側から下側に向って縦方向に並んでプレビュー表示されている。
【０１８２】
ここで、プレビュー画像Ｐ５０に対して新たな原稿画像を挿入する場合は、図１４（ａ）に示すように、新たな原稿画像を挿入する位置（操作指示位置）をユーザの指によるタッチ操作により指示して、その位置に新たな原稿画像を挿入する。
【０１８３】
実施例５においては、図１４（ａ）に示すように、プレビュー画像Ｐ５０において原稿画像Ｐ１２を基準となる原稿画像として、原稿画像Ｐ１２の上側をユーザの指によりタッチ操作して、その位置を新たな原稿画像Ｐ１４が挿入される操作指示位置として指示する。
【０１８４】
そして、新たな原稿画像Ｐ１４は、原稿画像挿入手段１３１４によって、図１４（ｂ）に示すように、プレビュー画像Ｐ５０において基準となる原稿画像Ｐ１２の上側の位置に挿入される。
【０１８５】
このとき、ユーザがタッチパネル１３４上でタッチ操作することで操作指示位置検知手段１３１１により検知された操作指示位置に応じて、プレビュー表示方向切換え手段１３１２によりプレビュー画像Ｐ５０の表示方向（原稿画像Ｐ１１，Ｐ１２，Ｐ１３の配列方向）が切換えられる。
【０１８６】
実施例５では、基準となる原稿画像Ｐ１２に対する操作指示位置の配置方向が既に表示されたプレビュー画像Ｐ５０の表示方向と同じ縦方向となっているので、プレビュー画像Ｐ５０の表示方向は縦方向で設定される。
【０１８７】
また、操作指示位置検知手段１３１１により検知された操作指示位置に応じて、スクロール方向切換え手段１３１３によりプレビュー画像Ｐ５０のスクロール方向が切換えられる。
【０１８８】
実施例５では、基準となる原稿画像Ｐ１２に対する操作指示位置の配置方向が既に表示されたプレビュー画像Ｐ５０の表示方向と同じ縦方向となっているので、プレビュー画像Ｐ５０のスクロール方向は縦方向で設定される。
【０１８９】
このようにして、プレビュー画像Ｐ５０は、新たに挿入された原稿画像Ｐ１４と基準となる原稿画像Ｐ１２とが並ぶ方向に沿った縦方向（図中の矢印Ｂ方向）で表示され、プレビュー画像Ｐ３０のスクロール方向は、プレビュー表示方向と同様に縦方向となる。
【０１９０】
（実施例６）
実施例６は、実施例５の変形例であって、画像形成装置１００のタッチパネルディスプレイ１３０において、表示パネル１３２上で縦方向（上下方向）に表示された原稿画像のプレビュー表示に対して、新たな原稿画像を実施例３とは異なる縦方向の位置に挿入するものである。
【０１９１】
図１５（ａ）は実施例６の画像形成装置におけるタッチパネルディスプレイ上のプレビュー表示において原稿画像を縦方向に配列して表示した状態を示す説明図、（ｂ）は前記プレビュー表示において基準となる原稿画像の縦位置に新たな原稿画像を挿入したときのプレビュー表示を示す説明図である。
【０１９２】
実施例６においては、図１５（ａ）に示すように、プレビュー画像Ｐ６０において原稿画像Ｐ１２を基準となる原稿画像として、原稿画像Ｐ１２の下側をユーザの指によりタッチ操作して、その位置を新たな原稿画像Ｐ１４が挿入される操作指示位置として指示する。
【０１９３】
そして、新たな原稿画像Ｐ１４は、原稿画像挿入手段１３１４によって、図１５（ｂ）に示すように、プレビュー画像Ｐ６０において基準となる原稿画像Ｐ１２の下側の位置に挿入される。
【０１９４】
実施例６では、プレビュー画像Ｐ６０は、新たに挿入された原稿画像Ｐ１４と基準となる原稿画像Ｐ１２とが並ぶ方向に沿った縦方向（図中の矢印Ｂ方向）で表示され、プレビュー画像Ｐ６０のスクロール方向は、プレビュー表示方向と同様に縦方向となる。
【０１９５】
（実施例７）
実施例７は、画像形成装置１００のタッチパネルディスプレイ１３０において、表示パネル１３２上で縦方向（上下方向）に表示された原稿画像のプレビュー表示に対して、新たな原稿画像を横方向（左右方向）の位置に挿入するものである。
図１６（ａ）は実施例７の画像形成装置におけるタッチパネルディスプレイ上のプレビュー表示において原稿画像を縦方向に配列して表示した状態を示す説明図、（ｂ）は前記プレビュー表示において基準となる原稿画像の横位置に新たな原稿画像を挿入したときのプレビュー表示を示す説明図である。
【０１９６】
実施例７では、画像形成装置１００のタッチパネルディスプレイ１３０上に表示されるプレビュー画像Ｐ７０は、図１６（ａ）に示すように、原稿画像Ｐ１１，Ｐ１２，Ｐ１３がタッチパネルディスプレイ１３０上で上側から下側に向って縦方向に並んでプレビュー表示されている。
【０１９７】
ここで、プレビュー画像Ｐ７０に対して新たな原稿画像を挿入する場合は、図１６（ａ）に示すように、新たな原稿画像を挿入する位置（操作指示位置）をユーザの指によるタッチ操作により指示して、その位置に新たな原稿画像を挿入する。
【０１９８】
実施例７においては、図１６（ａ）に示すように、プレビュー画像Ｐ７０において原稿画像Ｐ１２を基準となる原稿画像として、原稿画像Ｐ１２の上側をユーザの指によりタッチ操作して、その位置を新たな原稿画像Ｐ１４が挿入される操作指示位置として指示する。
【０１９９】
そして、新たな原稿画像Ｐ１４は、原稿画像挿入手段１３１４によって、図１６（ｂ）に示すように、プレビュー画像Ｐ７０において基準となる原稿画像Ｐ１２の上側の位置に挿入される。
【０２００】
このとき、ユーザがタッチパネル１３４上でタッチ操作することで操作指示位置検知手段１３１１により検知された操作指示位置に応じて、プレビュー表示方向切換え手段１３１２によりプレビュー画像Ｐ７０の表示方向（原稿画像Ｐ１１，Ｐ１２，Ｐ１３の配列方向）が切換えられる。
【０２０１】
実施例７では、基準となる原稿画像Ｐ１２に対する操作指示位置の配置方向が横方向となっているので、プレビュー画像Ｐ７０の表示方向は横方向に切換えられる。
【０２０２】
また、操作指示位置検知手段１３１１により検知された操作指示位置に応じて、スクロール方向切換え手段１３１３によりプレビュー画像Ｐ７０のスクロール方向が切換えられる。
【０２０３】
実施例７では、基準となる原稿画像Ｐ１２に対する操作指示位置の配置方向が横方向となっているので、プレビュー画像Ｐ５０のスクロール方向は横方向に切換えられる。
【０２０４】
このようにして、プレビュー画像Ｐ７０は、新たに挿入された原稿画像Ｐ１４と基準となる原稿画像Ｐ１２とが並ぶ方向に沿った横方向（図中の矢印Ｃ方向）で表示され、プレビュー画像Ｐ３０のスクロール方向は、プレビュー表示方向と同様に横方向となる。
【０２０５】
（実施例８）
実施例８は、実施例７の変形例であって、画像形成装置１００のタッチパネルディスプレイ１３０において、表示パネル１３２上で縦方向（上下方向）に表示された原稿画像のプレビュー表示に対して、新たな原稿画像を実施例３とは異なる横方向（左右方向）の位置に挿入するものである。
【０２０６】
図１７（ａ）は実施例８の画像形成装置におけるタッチパネルディスプレイ上のプレビュー表示において原稿画像を縦方向に配列して表示した状態を示す説明図、（ｂ）は前記プレビュー表示において基準となる原稿画像の横位置に新たな原稿画像を挿入したときのプレビュー表示を示す説明図である。
【０２０７】
実施例８においては、図１７（ａ）に示すように、プレビュー画像Ｐ８０において原稿画像Ｐ１２を基準となる原稿画像として、原稿画像Ｐ１２の下側をユーザの指によりタッチ操作して、その位置を新たな原稿画像Ｐ１４が挿入される操作指示位置として指示する。
【０２０８】
そして、新たな原稿画像Ｐ１４は、原稿画像挿入手段１３１４によって、図１７（ｂ）に示すように、プレビュー画像Ｐ８０において基準となる原稿画像Ｐ１２の右側の位置に挿入される。
【０２０９】
実施例８では、プレビュー画像Ｐ８０は、新たに挿入された原稿画像Ｐ１４と基準となる原稿画像Ｐ１２とが並ぶ方向に沿った横方向（図中の矢印Ｃ方向）で表示され、プレビュー画像Ｐ８０のスクロール方向は、プレビュー表示方向と同様に横方向となる。
【０２１０】
（実施例９）
実施例９は、画像形成装置１００のタッチパネルディスプレイ１３０において、表示パネル１３２上で横方向（左右方向）にプレビュー表示された複数の原稿画像の中から選択された原稿画像を、プレビュー表示された方向に沿って横方向の位置に移動するものである。
【０２１１】
図１８（ａ）は実施例９の画像形成装置におけるタッチパネルディスプレイ上のプレビュー表示において原稿画像を横方向に配列して表示した状態を示す説明図、（ｂ）は前記プレビュー表示において基準となる原稿画像の横位置に選択された原稿画像を移動する状態を示す説明図、（ｃ）は前記プレビュー表示において基準となる原稿画像の横位置に選択された原稿画像を移動したときのプレビュー表示を示す説明図である。
【０２１２】
実施例９では、画像形成装置１００のタッチパネルディスプレイ１３０上に表示されるプレビュー画像Ｐ９０は、図１８（ａ）に示すように、原稿画像Ｐ１１，Ｐ１２，Ｐ１３，Ｐ１４がタッチパネルディスプレイ１３０上で左側から右側に向って横方向に並んでプレビュー表示されている。
【０２１３】
ここで、プレビュー表示された複数の原稿画像の中から選択された原稿画像をプレビュー画像Ｐ９０に対して移動する場合は、図１８（ａ）に示すように、プレビュー画像Ｐ９０の中から移動する原稿画像をユーザの指によるタッチ操作により選択して、図１８（ｂ）に示すように、選択された原稿画像を移動する位置（操作指示位置）にスライドさせて移動する。
【０２１４】
実施例９においては、図１８（ａ），（ｂ）に示すように、プレビュー画像Ｐ９０において原稿画像Ｐ１４を基準となる原稿画像として、原稿画像Ｐ１４の左側を選択された原稿画像Ｐ１２が移動する操作指示位置として、その位置に選択された原稿画像１２をユーザの指によるタッチ操作により移動する。
【０２１５】
そして、原稿画像Ｐ１２は、原稿画像移動手段１３１５によって、図１８（ｃ）に示すように、プレビュー画像Ｐ９０において基準となる原稿画像Ｐ１４の左側で原稿画像Ｐ１３と挟まれる位置に移動される。
【０２１６】
このとき、ユーザのタッチパネル１３４上でのタッチ操作により原稿画像１２が移動することで操作指示位置検知手段１３１１により検知された操作指示位置に応じて、プレビュー表示方向切換え手段１３１２によりプレビュー画像Ｐ９０の表示方向（原稿画像Ｐ１１，Ｐ１２，Ｐ１３，Ｐ１４の配列方向）が切換えられる。
【０２１７】
実施例９では、基準となる原稿画像Ｐ１４に対する操作指示位置の配置方向が既に表示されたプレビュー画像Ｐ９０の表示方向と同じ横方向となっているので、プレビュー画像Ｐ９０の表示方向は横方向で設定される。
【０２１８】
また、原稿画像１２が移動することで操作指示位置検知手段１３１１により検知された操作指示位置に応じて、スクロール方向切換え手段１３１３によりプレビュー画像Ｐ９０のスクロール方向が切換えられる。
【０２１９】
実施例９では、基準となる原稿画像Ｐ１４に対する操作指示位置の配置方向が既に表示されたプレビュー画像Ｐ９０の表示方向と同じ横方向となっているので、プレビュー画像Ｐ９０のスクロール方向は横方向で設定される。
【０２２０】
このようにして、プレビュー画像Ｐ９０は、図１８（ｃ）に示すように、移動された原稿画像Ｐ１２と基準となる原稿画像Ｐ１４とが並ぶ方向に沿った横方向（図中の矢印Ｄ方向）で表示され、プレビュー画像Ｐ９０のスクロール方向は、プレビュー表示方向と同様に横方向となる。
【０２２１】
（実施例１０）
実施例１０は、実施例９の変形例であって、画像形成装置１００のタッチパネルディスプレイ１３０において、表示パネル１３２上で横方向（左右方向）にプレビュー表示された複数の原稿画像の中から選択された原稿画像を、プレビュー表示された方向に沿って実施例９とは異なる横方向の位置に挿入するものである。
【０２２２】
図１９（ａ）は実施例１０の画像形成装置におけるタッチパネルディスプレイ上のプレビュー表示において原稿画像を横方向に配列して表示した状態を示す説明図、（ｂ）は前記プレビュー表示において基準となる原稿画像の横位置に選択された原稿画像を移動する状態を示す説明図、（ｃ）は前記プレビュー表示において基準となる原稿画像の横位置に選択された原稿画像を移動したときのプレビュー表示を示す説明図である。
【０２２３】
実施例１０においては、図１９（ａ），（ｂ）に示すように、プレビュー画像Ｐ１００において原稿画像Ｐ１１を基準となる原稿画像として、原稿画像Ｐ１１の右側を選択された原稿画像Ｐ１３が移動する操作指示位置として、その位置に選択された原稿画像１３をユーザの指によるタッチ操作により移動する。
【０２２４】
そして、原稿画像Ｐ１３は、原稿画像移動手段１３１５によって、図１９（ｃ）に示すように、プレビュー画像Ｐ１００において基準となる原稿画像Ｐ１１の右側で原稿画像Ｐ１２と挟まれる位置に移動される。
【０２２５】
実施例１０では、プレビュー画像Ｐ１００は、図１９（ｃ）に示すように、移動された原稿画像Ｐ１３と基準となる原稿画像Ｐ１１とが並ぶ方向に沿った横方向（図中の矢印Ｄ方向）で表示され、プレビュー画像Ｐ１００のスクロール方向は、プレビュー表示方向と同様に横方向となる。
【０２２６】
（実施例１１）
実施例１１は、画像形成装置１００のタッチパネルディスプレイ１３０において、表示パネル１３２上で横方向（左右方向）にプレビュー表示された複数の原稿画像の中から選択された原稿画像を、プレビュー表示された方向に対して縦方向（上下方向）の位置に移動するものである。
【０２２７】
図２０（ａ）は実施例１１の画像形成装置におけるタッチパネルディスプレイ上のプレビュー表示において原稿画像を横方向に配列して表示した状態を示す説明図、（ｂ）は前記プレビュー表示において基準となる原稿画像の縦位置に選択された原稿画像を移動する状態を示す説明図、（ｃ）は前記プレビュー表示において基準となる原稿画像の縦位置に選択された原稿画像を移動したときのプレビュー表示を示す説明図である。
【０２２８】
実施例１１では、画像形成装置１００のタッチパネルディスプレイ１３０上に表示されるプレビュー画像Ｐ１１０は、図２０（ａ）に示すように、原稿画像Ｐ１１，Ｐ１２，Ｐ１３，Ｐ１４がタッチパネルディスプレイ１３０上で左側から右側に向って横方向に並んでプレビュー表示されている。
【０２２９】
ここで、プレビュー表示された複数の原稿画像の中から選択された原稿画像をプレビュー画像Ｐ１１０に対して移動する場合は、図２０（ａ）に示すように、プレビュー画像Ｐ１１０の中から移動する原稿画像をユーザの指によるタッチ操作により選択して、図１８（ｂ）に示すように、選択された原稿画像を移動する位置（操作指示位置）にスライドさせて移動する。
【０２３０】
実施例１１においては、図２０（ａ），（ｂ）に示すように、プレビュー画像Ｐ１１０において原稿画像Ｐ１３を基準となる原稿画像として、原稿画像Ｐ１３の上側を選択された原稿画像Ｐ１２が移動する操作指示位置として、その位置に選択された原稿画像１２をユーザの指によるタッチ操作により移動する。
【０２３１】
そして、原稿画像Ｐ１２は、原稿画像移動手段１３１５によって、図２０（ｃ）に示すように、プレビュー画像Ｐ１１０において基準となる原稿画像Ｐ１３の上側に移動される。
【０２３２】
このとき、ユーザのタッチパネル１３４上でのタッチ操作により原稿画像１２が移動することで操作指示位置検知手段１３１１により検知された操作指示位置に応じて、プレビュー表示方向切換え手段１３１２によりプレビュー画像Ｐ１１０の表示方向（原稿画像Ｐ１１，Ｐ１２，Ｐ１３，Ｐ１４の配列方向）が切換えられる。
【０２３３】
実施例１１では、基準となる原稿画像Ｐ１３に対する操作指示位置の配置方向が縦方向となっているので、プレビュー画像Ｐ１１０の表示方向は縦方向に切換えられる。
【０２３４】
また、原稿画像１２が移動することで操作指示位置検知手段１３１１により検知された操作指示位置に応じて、スクロール方向切換え手段１３１３によりプレビュー画像Ｐ１１０のスクロール方向が切換えられる。
【０２３５】
実施例１１では、基準となる原稿画像Ｐ１３に対する操作指示位置の配置方向が縦方向となっているので、プレビュー画像Ｐ１１０のスクロール方向は縦方向に切換えられる。
【０２３６】
このようにして、プレビュー画像Ｐ１１０は、図２０（ｃ）に示すように、移動された原稿画像Ｐ１２と基準となる原稿画像Ｐ１４とが並ぶ方向に沿った縦方向（図中の矢印Ｅ方向）で表示され、プレビュー画像Ｐ１１０のスクロール方向は、プレビュー表示方向と同様に縦方向となる。
【０２３７】
（実施例１２）
実施例１２は、実施例１１の変形例であって、画像形成装置１００のタッチパネルディスプレイ１３０において、表示パネル１３２上で横方向（左右方向）にプレビュー表示された複数の原稿画像の中から選択された原稿画像を、プレビュー表示された方向に沿って実施例１１とは異なる縦方向の位置に挿入するものである。
【０２３８】
図２１（ａ）は実施例１２の画像形成装置におけるタッチパネルディスプレイ上のプレビュー表示において原稿画像を横方向に配列して表示した状態を示す説明図、（ｂ）は前記プレビュー表示において基準となる原稿画像の縦位置に選択された原稿画像を移動する状態を示す説明図、（ｃ）は前記プレビュー表示において基準となる原稿画像の縦位置に選択された原稿画像を移動したときのプレビュー表示を示す説明図である。
【０２３９】
実施例１２においては、図２１（ａ），（ｂ）に示すように、プレビュー画像Ｐ１００において原稿画像Ｐ１３を基準となる原稿画像として、原稿画像Ｐ１３の下側を選択された原稿画像Ｐ１２が移動する操作指示位置として、その位置に選択された原稿画像１２をユーザの指によるタッチ操作により移動する。
【０２４０】
そして、原稿画像Ｐ１２は、原稿画像移動手段１３１５によって、図２１（ｃ）に示すように、プレビュー画像Ｐ１２０において基準となる原稿画像Ｐ１３の下側の位置に移動される。
【０２４１】
実施例１２では、プレビュー画像Ｐ１２０は、図２１（ｃ）に示すように、移動された原稿画像Ｐ１２と基準となる原稿画像Ｐ１３とが並ぶ方向に沿った縦方向（図中の矢印Ｅ方向）で表示され、プレビュー画像Ｐ１００のスクロール方向は、プレビュー表示方向と同様に縦方向となる。
【０２４２】
（実施例１３）
実施例１３は、画像形成装置１００のタッチパネルディスプレイ１３０において、上部にステープルの位置（綴じ位置）を設定した原稿画像をプレビュー表示したもので、表示パネル１３２上で縦方向（上下方向）に原稿画像を配列したプレビュー表示を、原稿画像を移動することで横方向に原稿画像を配列したプレビュー表示に切換えるものである。
【０２４３】
図２２（ａ）は実施例１３の画像形成装置におけるタッチパネルディスプレイ上のプレビュー表示においてステープルの位置が上部に設定された原稿画像を縦方向に配列して表示したプレビュー表示を示す説明図、（ｂ）は前記タッチパネルディスプレイ上のプレビュー表示を右側から左側への横方向の配列に切換えたときのプレビュー表示を示す説明図、（ｃ）は前記タッチパネルディスプレイ上のプレビュー表示を左側から右側への横方向の配列に切換えたときのプレビュー表示を示す説明図である。
【０２４４】
実施例１３では、画像形成装置１００のタッチパネルディスプレイ１３０上に表示されるプレビュー画像Ｐ２００は、図２２（ａ）に示すように、仕上げ処理としてステープルｓｔ１の位置（綴じ位置）が上部に設定された原稿画像Ｐ２１ａ，Ｐ２２ａ，Ｐ２３ａがタッチパネルディスプレイ１３０上で上側から下側に向って縦方向に並んでプレビュー表示されている。
【０２４５】
ここで、プレビュー画像Ｐ２００の表示方向を横方向に切換える場合は、図２２（ａ）に示すように、プレビュー画像Ｐ２００の中から基準となる原稿画像を選択して、選択された原稿画像の左右方向の側端付近をタッチ操作することで、その位置を操作指示位置として、プレビュー画像Ｐ２００に対する操作指示位置に応じてプレビュー表示の表示方向を切換えるように構成されている。
【０２４６】
実施例１３においては、図２２（ａ）に示すように、プレビュー画像Ｐ２００において原稿画像Ｐ２２ａを基準となる原稿画像として、原稿画像Ｐ２２ａの左側を操作指示位置とし、ユーザの指によるタッチ操作により操作指示位置を指示することで、タッチパネルディスプレイ１３０上に表示されるプレビュー画像Ｐ２００は、図２２（ｂ）に示すように、表示方向が左側から右側に向って横方向に切換わって表示される。
【０２４７】
このとき、ユーザのタッチパネル１３４上でのタッチ操作により操作指示位置が指示されると、操作指示位置検知手段１３１１により検知された操作指示位置に応じて、プレビュー表示方向切換え手段１３１２によりプレビュー画像Ｐ２００の表示方向が切換えられる。
【０２４８】
実施例１３では、基準となる原稿画像Ｐ２２ａに対する操作指示位置の配置方向が横方向となっているので、プレビュー画像Ｐ２００の表示方向は横方向に切換えられる。
【０２４９】
また、操作指示位置検知手段１３１１により検知された操作指示位置に応じて、スクロール方向切換え手段１３１３によりプレビュー画像Ｐ２００のスクロール方向が切換えられる。
【０２５０】
実施例１３では、基準となる原稿画像Ｐ２２ａに対する操作指示位置の配置方向がプレビュー画像Ｐ２００の表示方向と同じ横方向となっているので、プレビュー画像Ｐ２００のスクロール方向は横方向に切換えられる。
【０２５１】
また、操作指示位置検知手段１３１１により検知された操作指示位置に応じて、仕上げ処理設定変更手段１３１８により仕上げ処理において設定されたステープルｓｔ１の位置が変更される。
【０２５２】
実施例１３では、基準となる原稿画像Ｐ２２ａに対する操作指示位置の配置方向が横方向の左側となっているので、プレビュー画像Ｐ２００のステープルｓｔ１の位置は左側に変更されて、タッチパネルディスプレイ１３０上に表示される原稿画像は、図２２（ｂ）に示すように、原稿画像Ｐ２１ｂ，Ｐ２２ｂ，Ｐ２３ｂとしてプレビュー表示される。
【０２５３】
このようにして、プレビュー画像Ｐ２００は、図２２（ｂ）に示すように、基準となる原稿画像Ｐ２２ａに対して指示された操作指示位置の配置方向に沿った横方向で表示され、プレビュー画像Ｐ９０のスクロール方向がプレビュー表示方向と同様に横方向に切換えられるとともに、ステープルｓｔ１の位置が上部から横方向の左側に設定変更される。
【０２５４】
また、プレビュー画像Ｐ２００において、原稿画像Ｐ２２ａの右側を操作指示位置とし、ユーザの指によるタッチ操作により操作指示位置を指示することで、プレビュー画像Ｐ２００は、図２２（ｃ）に示すように、基準となる原稿画像Ｐ２２ａに対して指示された操作指示位置の配置方向に沿って右側から左側に向って横方向に切換わって表示され、プレビュー画像Ｐ９０のスクロール方向がプレビュー表示方向と同様に横方向となるとともに、ステープルｓｔ１の位置が上部から横方向の右側に設定変更されて、原稿画像Ｐ２１ｃ，Ｐ２２ｃ，Ｐ２３ｃとなる。
【０２５５】
なお、実施例１３では、プレビュー画像Ｐ２００における原稿画像を移動する操作指示位置に応じて、プレビューの表示方向やスクロール方向、及びステープルの位置の設定変更を行なうようにしているが、新たに原稿画像を挿入する操作位置に応じて、プレビューの表示方向やスクロール方向、及びステープルの位置の設定変更を行なうようにしてもよい。
【０２５６】
以上のように構成したので、本実施形態によれば、画像形成装置１００において、タッチパネルディスプレイ１３０における制御部１３１として、操作指示位置検知手段１３１１と、プレビュー表示方向切換え手段１３１２と、スクロール方向切換え手段１３１３とを備えることで、表示パネル１３２上でプレビュー画像を確認して編集する際に、原稿画像（原稿ページ）を移動したり、新たに原稿画像を挿入したりするときに、ユーザが指示する位置に応じて、プレビュー画像の表示方向やスクロール方向を容易に変更することができる。
【０２５７】
また、本実施形態によれば、タッチパネルディスプレイ１３０における制御部１３１として、さらに、仕上がり状態表示手段１３１７と、仕上げ処理設定変更手段１３１８と、を備えることで、表示パネル１３２上で原稿の仕上がり状態を確認する際に、ユーザが指示する位置に応じて原稿画像を移動したり、新たな原稿画像を挿入すたりするときに、原稿の仕上がり状態のプレビューの表示方向やスクロール方向を切換えるとともに、ステープル，パンチ，ページ振り等の仕上がり状態の設定を容易に変更することができる。
【０２５８】
尚、上述した実施形態や実施例では、本発明に係る操作ユニット１２０を図１に示すような画像形成装置１００に適用した例について説明したが、印刷する前に表示パネル等に原稿画像をプレビュー表示することで印刷状態を確認するようにした画像形成装置であれば、上述したような構成の画像形成装置や複写機に限定されるものではなく、その他の画像形成装置等に展開が可能である。
【０２５９】
また、上述の説明において、タッチパネルディスプレイ１３０上に表示されている原稿画像を選択／移動したり、プレビュー画像をスクロールさせる指示を行なう手法として、ユーザの指によるフリック操作で原稿画像の選択や移動、プレビュー画像をスクロールさせるものとして説明しているが、タッチパネルディスプレイ１３５上に上下左右方向へのスクロール指示や移動指示を行なうキーを表示させ、そのキーをタッチすることで動作指示を行なうようにしてもよい。
【０２６０】
以上のように、本発明は、上述した実施形態や実施例に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【０２６１】
１００  画像形成装置
１１１  パンチングユニット
１１２  ステープルユニット
１２０  操作ユニット（画像表示操作装置）
１３０  タッチパネルディスプレイ（表示制御手段）
１３１  制御部
１３２  表示パネル（操作画面）
１３４  タッチパネル（操作画面）
１３５  タッチパネルディスプレイ
１３１１  操作指示位置検知手段
１３１２  プレビュー表示方向切換え手段
１３１３  スクロール方向切換え手段
１３１４  原稿画像挿入手段
１３１５  原稿画像移動手段
１３１６  仕上げ処理設定手段
１３１７  仕上がり状態表示手段
１３１８  仕上げ処理設定変更手段
１３２０  モード選択ボタン
Ｐ１０，Ｐ２０，Ｐ３０，Ｐ４０，Ｐ５０，Ｐ６０，Ｐ７０，
Ｐ８０，Ｐ９０，Ｐ１００，Ｐ１１０，Ｐ１２０，Ｐ２００  プレビュー画像
Ｐ１１，Ｐ１２，Ｐ１３，Ｐ１４  原稿画像
Ｐ２１ａ，Ｐ２２ａ，Ｐ２３ａ  原稿画像
Ｐ２１ｂ，Ｐ２２ｂ，Ｐ２３ｂ  原稿画像
Ｐ２１ｃ，Ｐ２２ｃ，Ｐ２３ｃ  原稿画像
ｓｔ１  ステープル
【図１】
0005161280.tif 000002
【図２】
0005161280.tif 000003
【図３】
0005161280.tif 000004
【図４】
0005161280.tif 000005
【図５】
0005161280.tif 000006
【図６】
0005161280.tif 000007
【図７】
0005161280.tif 000008
【図８】
0005161280.tif 000009
【図９】
0005161280.tif 000010
【図１０】
0005161280.tif 000011
【図１１】
0005161280.tif 000012
【図１２】
0005161280.tif 000013
【図１３】
0005161280.tif 000014
【図１４】
0005161280.tif 000015
【図１５】
0005161280.tif 000016
【図１６】
0005161280.tif 000017
【図１７】
0005161280.tif 000018
【図１８】
0005161280.tif 000019
【図１９】
0005161280.tif 000020
【図２０】
0005161280.tif 000021
【図２１】
0005161280.tif 000022
【図２２】
0005161280.tif 000023